(57)【特許請求の範囲】
【請求項１】
室内空気を吸い込む室内ファンや前記室内空気を熱交換する室内熱交換器を固定する台枠と、この台枠の前面側に配置され、前記室内ファンと前記室内熱交換器を収納する前面枠と、を有する室内ユニット本体と、
背面の上側に上下方向に形成された上側固定孔を有する上側外周壁、下側に上下方向に形成された下側固定孔を有する下側外周壁を立設させた前面パネルと、この前面パネルの背面に取り付けられ、上部に前記室内ユニット本体に前記前面パネルを開閉可能に結合するヒンジと下部に前記室内ユニット本体への前記前面パネルの閉状態を保持するツメの少なくともいずれかが設けられた取付板と、から構成され、前記室内ユニット本体の前面に装着される前面パネル体と、を備え、
前記取付板が、
上側で前記上側外周壁の立設方向と同じ方向に立設される上側外壁と、
下側で前記下側外周壁の立設方向と同じ方向に立設される下側外壁と、
前記上側外壁の外面から上方に突設される上側挿入突起と、
前記下側外壁の外面から下方に突設される下側挿入突起と、を具備して、
前記上側固定孔に前記上側挿入突起が挿入され、かつ、前記下側固定孔に前記下側挿入突起が挿入され、前記上側外壁の外面と前記上側外周壁の内面、および前記下側外壁の外面と前記下側外周壁の内面とがそれぞれ接触もしくは近接して、前記前面パネルの背面に固定されるとともに、
前記室内ユニット本体の前面枠の前面側に、前記前面パネル体が閉状態の時に、前記前面パネルの下側外周壁および前記取付板の下側外壁を収納する収納溝が形成されているものであって、
前記前面パネルには、前記前面パネル体の長手方向略中央部で、前記下側外周壁の外面から突出する留め突起もしくは前記下側外周壁の外面に凹設された留め穴が形成されるとともに、
前記収納溝の底面には、前記留め突起を引っ掛ける掛かり突起もしくは前記留め突起を周縁に引っ掛ける掛かり穴、または前記留め穴の周縁に引っ掛かる掛かり突起が形成されていることを特徴とする空気調和機の室内ユニット。
【請求項２】
室内空気を吸い込む室内ファンや前記室内空気を熱交換する室内熱交換器を固定する台枠と、この台枠の前面側に配置され、前記室内ファンと前記室内熱交換器を収納する前面枠と、を有する室内ユニット本体と、
背面の上側に上下方向に形成された上側固定孔を有する上側外周壁、下側に上下方向に形成された下側固定孔を有する下側外周壁を立設させた前面パネルと、この前面パネルの背面に取り付けられ、上部に前記室内ユニット本体に前記前面パネルを開閉可能に結合するヒンジと下部に前記室内ユニット本体への前記前面パネルの閉状態を保持するツメの少なくともいずれかが設けられた取付板と、から構成され、前記室内ユニット本体の前面に装着される前面パネル体と、を備え、
前記取付板が、
上側で前記上側外周壁の立設方向と同じ方向に立設される上側外壁と、
下側で前記下側外周壁の立設方向と同じ方向に立設される下側外壁と、
前記上側外壁の外面から上方に突設される上側挿入突起と、
前記下側外壁の外面から下方に突設される下側挿入突起と、を具備して、
前記上側固定孔に前記上側挿入突起が挿入され、かつ、前記下側固定孔に前記下側挿入突起が挿入され、前記上側外壁の外面と前記上側外周壁の内面、および前記下側外壁の外面と前記下側外周壁の内面とがそれぞれ接触もしくは近接して、前記前面パネルの背面に固定されるとともに、
前記室内ユニット本体の前面枠の前面側に、前記前面パネル体が閉状態の時に、前記前面パネルの下側外周壁および前記取付板の下側外壁を収納する収納溝が形成されているものであって、
前記収納溝の底面には、掛かり突起、もしくは掛かり穴が形成され、
前記下側挿入突起が前記下側固定孔を貫通し、その突端部分が前記下側外周壁の外面から突出して、この突出した前記下側挿入突起の突端部分が、前記掛かり突起、もしくは前記掛かり穴の周縁に引っ掛かり、前記室内ユニット本体に対して前記前面パネル体の閉状態を保持することを特徴とする空気調和機の室内ユニット。
【請求項３】
前記ヒンジは、
前記前面パネル体の上方に向かって屈曲する略Ｌ字状のアームと、
このアームの端部に設けられ、前記前面パネル体を前記室内ユニット本体に対して上下方向に開閉可能に回動させる回動軸もしくは回動軸受と、備え、
前記取付板の前記ヒンジが設けられる側とは反対側で、前記取付板の前記アームの根元部分と前記前面パネルの間には、空間が形成されていることを特徴とする請求項１または請求項２に記載の空気調和機の室内ユニット。
【請求項４】
前記取付板は、
前記下側外壁の近傍に、前記取付板を前後方向に貫通する開口部を備えたことを特徴
とする請求項１または請求項２に記載の空気調和機の室内ユニット。
【発明の詳細な説明】
【技術分野】
【０００１】
この発明は、空気調和機の室内ユニットに関するもので、特に室内ユニット本体の前面にあって開閉可能な前面パネル体およびその前面パネル体の取付板の取り付け方法に関するものである。
【背景技術】
【０００２】
従来の空気調和機の室内ユニットには、開閉可能な前面パネル体の前面パネルを透明材で成形し、その背面に塗装を施すことで、この塗装面が透明材を透過して正面（前側）外観上に現れて室内ユニットの意匠性を向上させるものがある。
【０００３】
このように構成された前面パネル体においては、前面パネルを室内ユニット本体に開閉可能に結合するヒンジや、前面パネルが閉時（通常前面パネルは閉じられている）に前面パネルを室内ユニット本体に対して閉状態を保持するツメを、前面パネルの背面に一体成形してしまうと、そのヒンジやツメの部分が存在する背面が塗装できなくなって外観の意匠性が損なわれてしまうため、ヒンジやツメを前面パネルとは別部品の取付板として構成し、この取付板を、前面パネルの背面に一体的に成形される四方の外周壁のうち、上側と下側の外周壁の室内ユニット本体側に臨む先端面に固定して前面パネル体を構成したものがある。（例えば、特許文献１参照。）。
【０００４】
【特許文献１】特開２００６−１１２７０１号公報（００１４欄、００１８欄、００１９欄、図１、図２）
【発明の開示】
【発明が解決しようとする課題】
【０００５】
上記の特許文献１に開示される従来の空気調和機の室内ユニットでは、前面パネルの上側と下側の外周壁の前面パネル体が閉状態時に本体側を向く先端面に、ボルト等を外周壁にねじ込んで取付板を取り付ける。そのため取付板を取り付けることにより、前面パネルの外周壁や取付板に割れや塑性変形が発生するという問題点があった。また取付板の取り付けに時間がかかり、作業性が悪いという問題点があった。
【０００６】
この発明は、上記のよう課題を解決するためになされたもので、前面パネル体が、前面パネルの背面にヒンジやツメが形成された前面パネルとは別部品の取付板を取り付けて構成されるものであっても、取付板の前面パネルへ取り付ける際の作業性が良好で、取付板を取り付けることによって前面パネル体の前面パネルや取付板に割れや塑性変形が発生しない信頼性の高い空気調和機の室内ユニットおよび前面パネル体の取付板の取り付け方法を提供するものである。
【課題を解決するための手段】
【０００７】
この発明に係る空気調和機の室内ユニットは、室内空気を吸い込む室内ファンや室内空気を熱交換する室内熱交換器を固定する台枠と、この台枠の前面側に配置され、室内ファンと室内熱交換器を収納する前面枠と、を有する室内ユニット本体と、背面の上側に上下方向に形成された上側固定孔を有する上側外周壁、下側に上下方向に形成された下側固定孔を有する下側外周壁を立設させた前面パネルと、この前面パネルの背面に取り付けられ、上部に室内ユニット本体に前面パネルを開閉可能に結合するヒンジと下部に室内ユニット本体への前面パネルの閉状態を保持するツメの少なくともいずれかが設けられた取付板と、から構成され、室内ユニット本体の前面に装着される前面パネル体と、を備え、取付板が、上側で上側外周壁の立設方向と同じ方向に立設される上側外壁と、下側で下側外周壁の立設方向と同じ方向に立設される下側外壁と、上側外壁の外面から上方に突設される上側挿入突起と、下側外壁の外面から下方に突設される下側挿入突起と、を具備して、上側固定孔に上側挿入突起が挿入され、かつ、下側固定孔に下側挿入突起が挿入され、上側外壁の外面と上側外周壁の内面、および下側外壁の外面と下側外周壁の内面とがそれぞれ接触もしくは近接して、前面パネルの背面に固定されるとともに、室内ユニット本体の前面枠の前面側に、前面パネル体が閉状態の時に、前面パネルの下側外周壁および取付板の下側外壁を収納する収納溝が形成されているものであって、前面パネルには、前面パネル体の長手方向略中央部で、下側外周壁の外面から突出する留め突起もしくは下側外周壁の外面に凹設された留め穴が形成されるとともに、収納溝の底面には、留め突起を引っ掛ける掛かり突起もしくは留め突起を周縁に引っ掛ける掛かり穴、または留め穴の周縁に引っ掛かる掛かり突起が形成されているものである。
【発明の効果】
【０００８】
この発明の空気調和機の室内ユニットは、取付板の前面パネルへ取り付ける際の作業性が良好で、取付板を取り付けることによって前面パネル体の前面パネルや取付板に割れや塑性変形が発生することがない信頼性の高い空気調和機の室内ユニットが得られる。
【発明を実施するための最良の形態】
【０００９】
実施の形態１．
この発明の実施の形態１における空気調和機の室内ユニットの一実施例を図１〜図５に基づいて説明する。図１はその室内ユニット１００の全体構造を示す斜視図で、前面パネル体１が開かれた状態（開状態）を示している。図２はその室内ユニット１００の縦断面図であり、前面パネル体１が閉じられた状態（閉状態）で取付板２０の部分で切断した断面を示している。図３は前面パネル体１を背面側（室内ユニット１００本体に面する側）から見た斜視図であり、前面パネル体１全体を示している。図４は図３における前面パネル体１の背面側から見て左側に位置する取付板２０近傍部分を拡大した斜視図であり、図５は図４において取付板２０を前面パネル１０に取り付ける前の状態を示す説明用の斜視図である。
【００１０】
まず図１と図２を用いて、この実施例が示す空気調和機の室内ユニット１００の全体構造を説明する。この室内ユニット１００は室内の壁の上部に設置される壁掛け式であり、室内ユニット１００の外郭（筐体）は、室内の壁面側に位置する、すなわち室内ユニット１００本体の背面側に位置する台枠３と、台枠３の前面側に配置される前面枠２にて構成され、この前面枠２の前面に前面パネル体１が上部を支点にして上下方向に開閉可能に取り付けられる。前面パネル体１は、閉状態で前面枠２の前面側を閉塞するとともに、その正面が室内に臨んで、室内ユニット１００の意匠を担っている。
【００１１】
台枠３には、室内空気を冷凍サイクルの冷媒と熱交換する室内熱交換器４や室内空気を室内ユニット１００内部に吸込み、熱交換器４を通過させて熱交換された調和空気として室内に吹き出す送風機である室内ファン５が固定される。室内熱交換器４は多段に折り曲げられ、室内ファン５の前面と上面そして一部背面を囲うように配置される。ファン５は室内ユニット１００の長手方向に延びて、その軸方向（室内ユニット１００の長手方向）を横切るように空気を流すラインフローファンである。
【００１２】
熱交換器４やファン５は台枠３に固定されるが、台枠３から室内側に突出しており、この突出した部分は、筐体である前面枠２に収納される。前面枠２は、上面に室内空気を室内ユニット１００の内部に吸い込む吸込口６を備える。吸込口６は前面枠２と一体的に格子状に形成されており、前面枠２の強度が確保される。
【００１３】
また前面枠２の下方には熱交換後の調和空気が吹き出される室内ユニット１００の長手方向に延びて吹出口７が形成されている。吹出口７には室内に吹き出される調和空気の上下方向の風向を調整する上下風向板８が設置される。上下風向板８は吹出口７の長手方向に沿って前後に２段に設けられ、その左右端をそれぞれ回動支持され、前面枠２内部に収納される駆動モータにより上下方向に回動して、吹出口７から室内に吹き出される調和空気の上下方向の風向を調整する。
【００１４】
また、吹出口７には上下風向板８よりも室内ユニット１００本体の内側に、図示されない左右風向板が設置され、室内に吹き出される調和空気の左右方向の風向が調整される。空気調和機の運転停止時には、上下風向板８が吐出口７を閉塞し、停止時の室内ユニット１００の意匠性を向上させる。
【００１５】
ファン５から吹出口７に到る吹出風路７０は、背面側を台枠３の曲面部に、前面側を前面枠２に固定されるノズル９によって形成される。ノズル９の吹出風路７０と反対側となる上面側は熱交換器４の下方に面しており、熱交換器４表面のドレン水を回収するドレンパンとなっている。ドレンパンに回収されたドレン水は、図示されないドレンホースを流れて室外に排出される。
【００１６】
室内ユニット１００の内部には、吸込口６と熱交換器４の間に（室内空気の流れにとっては吸込口６より下流で熱交換器４より上流の位置に）吸込口６から吸い込まれる室内空気に混入する塵埃等を捕集するエアフィルター７１が熱交換器４を覆うように配置される。エアフィルター７１は前面枠２に着脱可能に取り付けられ、捕集した塵埃による目詰まりを防止するために使用者が取り外して清掃や洗浄を行い、その後再び装着（取り付け）できるようになっている。そのエアフィルター７１の着脱の際に使用者は前面パネル体１を開閉する。
【００１７】
室内ユニット１００には、エアフィルター７１以外にも塵埃より粒子の小さい花粉、ダニ、カビの胞子、たばこのヤニ等室内空気中の微粒子などを捕集する空気清浄フィルターや吸い込まれた室内空気中の臭い成分を吸着して室内空気の脱臭を行う脱臭フィルターが熱交換器４の上流側に配置されることもあり、これら空気清浄フィルターや脱臭フィルターの清掃、洗浄もしくは新品への交換の際にも前面パネル体１が使用者によって開閉される。
【００１８】
また近年ではエアフィルター７１を自動的に清掃、洗浄するフィルター清掃機構を室内ユニット１００内部に備えることもあり、このようなフィルター清掃機構はエアフィルター７１から回収したゴミを溜める着脱式のダストボックスを設けており、このダストボックスを取り外してゴミを捨て再度フィルター清掃機構に取り付ける作業を使用者が実施する際にも、前面パネル体１は開閉される。なおこの実施の形態においては、前面パネル体１が装着されていない状態の室内ユニット１００を室内ユニット１００本体と呼び、前面パネル体１が装着された状態を室内ユニット１００と呼んで、それらを区別する。
【００１９】
ここで室内ユニット１００の基本的な動作について説明する。使用者によってリモコン等により空気調和機の運転開始が指令されると、室内ユニット１００ではファン５が回転駆動される。ファン５には図示されない駆動モータが連結されており、この駆動モータが回転することによってファン５が回転駆動される。ファン５の回転により室内空気が吸込口６から吸い込まれ、エアフィルター７１を通過する。この時吸い込まれた室内空気に含まれる塵埃をエアフィルター７１が捕集する。エアフィルター７１を通過した室内空気はファン５の連続的な回転により更に熱交換器４を通過する。
【００２０】
熱交換器４を通過する際に、吸い込まれた室内空気は熱交換器４と熱交換される。熱交換器４は空気調和機の運転が冷房の時は蒸発器となって、ここで冷凍サイクルの冷媒が蒸発するため、通過する室内空気を冷やし、暖房運転であれば凝縮器となって通過する室内空気を暖める。このように、吸い込まれた室内空気は熱交換器４を通過する際に熱交換器４と熱交換して、使用者が要求する調和空気となる。エアフィルター７１が吸い込まれた室内空気の塵埃を捕集することにより熱交換器４への塵埃の付着を防止し、熱交換器４の塵埃付着による熱交換性能の低下を防いでいる。
【００２１】
熱交換器４を通過した室内空気は調和空気となって、ファン５の連続的な回転により吹出風路７０を通って吹出口７から室内に吹き出される。吹き出される際には上下風向板８や図示されない左右風向板が回動して、吹き出される方向（風向）が調整される。上下風向板８や左右風向板の回動はそれぞれ室内ユニット１００に内蔵されるモータによってなされる。また室内ファン５の回転数を変化させることで吹き出される風量も調整される。使用者により空気調和機の運転停止が指令されると、上下風向板８は、吹出口７を閉塞する状態まで回動し、吹出口７を閉塞して静止する。
【００２２】
次に本発明による前面パネル体１について説明する。前面パネル体１は図３に示すように、前面パネル１０と、その前面パネル１０の背面（室内に面する正面とは反対側の面）の左右にそれぞれ取り付けられた２つの取付板２０にて構成される。前面パネル１０は透明材の樹脂により射出成形され、その背面（取付板２０が取り付けられる側の面）に塗装が施される。正面から、すなわち室内ユニット１００に装着され閉状態となっている前面パネル体１を室内から見ると、前面パネル１０を透過してその塗装面が外観上に現れることになり、奥行き感が生まれるなど室内ユニット１００の意匠性を向上できるとともに、塗装面を前面パネル１０の背面に設置することで、外部からの刺激による塗装面の劣化を防ぐことができる。透明材で射出成形される前面パネル１０の材質としてはＡＢＳが用いられる。
【００２３】
この室内ユニット１００では、図１に示すように、運転状況を表示する表示機構６０を室内ユニット１００本体に備えており、表示機構６０内部に配置される発光ダイオードの光が表示機構６０の表示窓から照射され、その光が、閉状態にある前面パネル体１の塗装面を含めた前面パネル１０を透過して、現在の室内温度などの情報や空気調和機の運転状況が、前面パネル体１（前面パネル１０）の正面に表示され、使用者がそれらの情報を把握できるようになっている。
【００２４】
塗装面には主として明るい色である白や薄いベージュ色などを用い、発光ダイオードの光も白色光を用いている。このため室内ユニット１００は、一般的に多く用いられている明るい白色系の室内壁との調和を保つことができる。なお上記では塗装によって前面パネル１０の背面に意匠層を設けているが、塗装に限らず印刷やシート貼付によって意匠層を形成してもよい。停止時には表示機構６０の存在が正面から見てもわからないようになっていて、運転時のみ表示機構６０の表示窓の形状で文字や図形が前面パネル１０正面に表示される。前面パネル１０正面に表示させることができるので、大きい文字や図形の表示が可能となり、視認性が高く意匠性に優れた表示を行うことができる。
【００２５】
前面パネル１０は背面（塗装が施される面）の四方外周に外周壁１１が立設される。外周壁１１は、前面パネル体１が室内ユニット１００本体に取り付けられ閉状態の時に、室内ユニット１００本体の方向に延伸するように立設されている。外周壁１１に囲まれる凹凸のない板状部分であるパネル部１２の正面側が室内に面する。言い換えると略矩形の凹凸のない板状のパネル部１２の背面を囲うように、パネル部１２の四方にパネル部１２を基点として外周壁１１が立設されている。前面パネル１０の背面の塗装は、外周壁１１の内面（パネル部１２の背面に連接する面）にも施される。パネル部１２は凹凸がないので、背面全体に塗装が容易に施すことができる。
【００２６】
図４、図５に示すように、外周壁１１のうち、前面パネル体１が室内ユニット１００本体に取り付けられ閉状態の時に室内ユニット１００の上側（天面側）に位置する上側外周壁１１ａと、下側（地面側）に位置する下側外周壁１１ｂには、後述する取付板２０の挿入突起２１が挿入される固定孔１３（１３ａ、１３ｂ）が前面パネル１０の成形時に一体的に形成される。上側外周壁１１ａに上側固定孔１３ａが、下側外周壁１１ｂに下側固定孔１３ｂが形成され、上側固定孔１３ａは上側外周壁１１ａを、下側固定孔１３ｂは下側外周壁１１ｂを上下方向に貫通するように形成される。上側固定孔１３ａと下側固定孔１３ｂは、それぞれ上側外周壁１１ａ、下側外周壁１１ｂの上記した延伸方向に直交するように貫通する。
【００２７】
パネル部１２が上記にて略矩形と述べたが、それは図３に示すように、前面パネル１０の下部中央に矩形状の切欠き部１４が形成されているからである。この切欠き部１４は、室内ユニット１００本体の下部中央で吹出口７の上方に設置され、左右方向に回動して室内の各領域の温度状況をモニターする赤外線センサ７２を室内に臨ませ、その赤外線センサ７２の動作を妨げないようにするために設けられたものである。なお切欠き部１４の三方周囲には外周壁１１を立設させなくてもよい。
【００２８】
赤外線センサ７２を設けない室内ユニットであれば、切欠き部１４を設けずにパネル部１２を矩形状とすればよい。また前面パネル１０は室内ユニット１００の意匠性向上のために、全体的に上下方向（室内ユニット１００の天地方向）になだらかに湾曲した曲面状に成形されている。
【００２９】
透明樹脂で一体成形された外周壁１１とパネル部１２から成り、パネル部１２の背面（室内に面する正面とは反対側の面）と外周壁１１の内面が塗装された前面パネル１０は、室内ユニット１００の前面枠２に使用者が開閉できるように取り付けられなければならない。本発明の前面パネル１０のような透明材料で形成され背面側に塗装を施すものでなく、従来より一般的な予め色のついた樹脂で成形される前面パネルであれば、前面枠２に開閉可能に結合するヒンジを前面パネルの背面側に一体成形するのであるが、透明材である場合にそのようなヒンジを前面パネルの背面に一体成形してしまうと、ヒンジが突出する部位には塗装が施せなくなることで正面から見た意匠性が悪化してしまうため、ヒンジを前面パネル１０と一体成形することはできない。
【００３０】
そのためこの室内ユニット１００では、前面枠２、すなわち室内ユニット１００本体に前面パネル１０を開閉可能に結合するヒンジ２５や、前面パネル１０の室内ユニット１００本体への閉状態を保持するためのツメ２６を備えた前面パネル１０とは別体（別部品）の取付板２０を、前面パネル１０の背面の塗装面上に取り付けて前面パネル体１とすることで、前面枠２すなわち室内ユニット１００本体に前面パネル１０を前面パネル体１として、開閉可能に取り付けられるようにする。背面に塗装が施された後の透明樹脂製である前面パネル１０の背面の塗装面上に取付板２０を取り付けるものである。
【００３１】
取付板２０は、図４、図５に示すように、前面パネル１０の上下方向の湾曲とほぼ等しい曲率で上下方向に湾曲した矩形な板状のベース２２を基部として、このベース２２の三方（上側、下側、一方の側面）にベース２２を基点として外壁２３が立設している。四方すべてに外壁２３を立設しても構わない。外壁２３は、ベース２２の上側に位置する上側外壁２３ａ、下側に位置する下側外壁２３ｂ、左右一方の側に位置する側面外壁２３ｃから成る。外壁２３が立設する側が、上下方向に湾曲するベース２２の曲率半径の中心方向側（内側）で、ベース２２の内側には、取付板２０の強度補強用のリブ２４が複数設けられる。取付板２０の外壁２３は、取付板２０が前面パネル１０の背面に取り付けられた時に、前面パネル１０の外周壁１１の立設方向と同じ方向となるように立設される。
【００３２】
上側外壁２３ａの外面からは上方に向けて、また下側外壁２３ｂの外面からは下方に向けて、前面パネル１０の上側外周壁１１ａ、下側外周壁１１ｂにそれぞれ上下方向に形成される上側固定孔１３ａ、下側固定孔１３ｂに挿入される挿入突起２１（２１ａ、２１ｂ）が突出するように設けられている。上側外周壁１１ａに形成される上側固定孔１３ａに挿入されるのが上側挿入突起２１ａであり、下側外周壁１１ｂに形成される下側固定孔１３ｂに挿入されるのが下側挿入突起２１ｂである。
【００３３】
またベース２２の内側（リブ２４が形成される側）には、上部にヒンジ２５、下部にはツメ２６が設けられる。取付板２０はこれらがすべて一体的に樹脂で射出成形される。また取付板２０は、前面パネル１０背面の塗装面（意匠層）と同系色もしくは透明に成形されるもので、これにより運転時に表示機構６０の光が透過しても、室内ユニット１００の正面からは取付板２０の存在が見え難くなっている。
【００３４】
ヒンジ２５は前面枠２、すなわち室内ユニット１００本体に開閉可能に結合する機能を有するものであるが、ベース２２にほぼ直角に立設し、途中から上方に屈曲する略Ｌ字状のアーム２５ａと、このアーム２５ａの端部側面から上側挿入突起２１ａの突出方向と直交する方向、すなわち室内ユニット１００の左右方向（長手方向）に延伸するように形成された回動軸２５ｂから構成される。またアーム２５ａのＬ字状に屈曲する部分の近傍には前面パネル体１を所定の角度で開状態を保持するための保持面２５ｃが、左右両側に形成されている。回動軸２５ｂは、その上下方向の位置が上側挿入突起２１ａの頂点と同程度かそれよりも上方の位置となるようにアーム２５ｂ側面に設けられる。
【００３５】
取付板２０およびベース２２は、ヒンジ２５やツメ２６が立設する側を内側、この内側の反対面で前面パネル体１において前面パネル１０の背面に面する側を裏側と呼ぶことにする。図６は取付板２０を裏側から見た斜視図である。アーム２５ａの根元に位置するベース２２の裏側には、凹部２８が形成されている。この凹部２８により、この部分のベース２２はアーム２５ａの立設する側に他の部分のベース２２より出っ張っていて、そのため取付板２０が前面パネル１０に取り付けられた時にアーム２５ａの根元のベース２２（の裏側）と前面パネル１０（の背面）との間には空間が形成されることなる。
【００３６】
取付板２０を内側から見ると、図４、図５に示すように、ヒンジ２５のアーム２５ａが立設する部分のベース２２は他の部分よりも高くなっているように見えるが、それは上記のようにベース２２の裏側に凹部２８が形成され、その部分のベース２２が内側に出っ張っているからである。図４、図５においては、リブ２４の頂点とアーム２５ａが立設する部分のベース２２の内側端面が同じ高さとなっているが、凹部２８の深さはこれに限るものでない。なお、ベース２２は、アーム２５ａ根元の凹部２８により内側に出っ張った部分と、それ以外の部分の板厚は等しくなっている。
【００３７】
前面パネル体１を前面枠２、すなわち室内ユニット１００本体に対して閉状態を保持する（閉状態に固定する）ためのツメ２６は、ベース２２の内側と裏側の方向に２つの頂点が位置するような菱形状に形成されており、ベース２２から突設するツメ台２７上に一体成形されている。なおツメ２６には上面中央に開口し、ツメ台２７近傍まで円筒状に陥る肉盗みが設けられている。
【００３８】
ここで前面パネル１０と取付板２０の寸法関係について説明する。図５に示すように対向する前面パネル１０の上側外周壁１１ａ内面と下側外周壁１１ｂ内面との間の水平距離をＬ１とし、取付板２０が前面パネル１０に取り付けられた時に、上記の上側外周壁１１ａ内面と下側外周壁１１ｂ内面にそれぞれ対向することになる取付板２０の上側外壁２３ａ外面と下側外壁２３ｂ外面との間の水平距離をＬ２とすると、両寸法の関係が、０≦Ｌ１−Ｌ２＜０．６ｍｍとなるように形成されている。Ｌ１とＬ２が等しいか、Ｌ１の方が僅かに大きい寸法関係となっている。
【００３９】
なおこの実施の形態において、上側外周壁１１ａの内面、下側外周壁１１ｂの内面とは、上側外周壁１１ａと下側外周壁１１ｂが互いに向き合う面のことであり、パネル部１２の背面に連続した面である。前面パネル体１が室内ユニット１００本体に対して閉状態である場合では、上側外周壁１１ａ内面は下方を向き、下側外周壁１１ｂ内面は上方を向く。また、上側外壁２３ａの外面、下側外壁２３ｂの外面とは、上側外壁２３ａと下側外壁２３ｂが互いに向き合う面の反対側となる面のことであり、前面パネル体１が室内ユニット１００本体に対して閉状態である場合では、上側外壁２３ａ外面は上方を向き、下側外壁２３ｂ外面は下方を向く。
【００４０】
また、前面パネル１０の上側固定孔１３ａと取付板２０の上側挿入突起２１ａは、これらが嵌め合わされた時に、上側挿入突起２１ａ外周と上側固定孔１３ａ内周に微小なすきまが存在するようなすきま嵌めとなるように互いに形成されている。同様に、下側固定孔１３ｂと下側挿入突起２１ｂの関係も、これらが嵌め合わされた時に、下側挿入突起２１ｂ外周と下側固定孔１３ｂ内周に微小なすきまが存在するようなすきま嵌めとなるように互いに形成されている。すなわち上側挿入突起２１ａと上側固定孔１３の嵌合および下側挿入突起２１ｂと下側固定孔１３ｂの嵌合は、どちらもすきま嵌めとなる。
【００４１】
更に、取付板２０が前面パネル１０に取り付けられた時に、前面パネル１０の側面外周壁１１ｃ（取付板２０が前面パネル１０の背面から見て左側に取り付けられる場合では、前面パネル１０を同じく背面から見て左側に立設する外周壁）の内面と、取付板２０の側面外壁２３ｃ（取付板２０が前面パネル１０の背面から見て左側に取り付けられる場合では、取付板２０の内側から見て左側に立設する外壁）の外面と、が接触もしくは近接して対向するように、上側固定孔１３ａと下側固定孔１３ｂが前面パネル１０に、そして上側挿入突起２１ａと下側挿入突起２１ｂが取付板２０にそれぞれ配置される。
【００４２】
なおここで、側面外周壁１１ｃの内面とは、前面パネル１０の左右両側に側面外周壁１１ｃが立設している時、左右の側面外周壁１１ｃが互いに向き合う面のことであり、パネル部１２の背面に連続した面である。また、側面外壁２３ｃの外面とは、側面外壁２３ｃのヒンジ２５やツメ２６に臨む面の反対側となる面のことである。
【００４３】
上記の取付板２０が前面パネル１０に取り付けられた時の前面パネル１０の側面外周壁１１ｃ内面と取付板２０の側面外壁２３ｃ外面との間のすきまの幅は、０（すなわち接触）以上で前面パネル１０の板厚以下であり、ここでは前面パネル１０の板厚が３ｍｍであるので、３ｍｍ以下となる。なお、前面パネル１０の側面外周壁１１ｃ内面と取付板２０の側面外壁２３ｃ外面とを接触させてもよいが、その接触によって挿入突起２１が固定孔１３内周に干渉して挿入突起２１の根元に応力を作用させたり、側面外周壁１１ｃや側面外壁２３ｃの根元に応力を作用させてはならない。
【００４４】
取付板２０の挿入突起２１は、例えば上側挿入突起２１ａのように上側外壁２３ａの外面に一つだけ設けてもよいし、例えば下側挿入突起２１ｂのように下側外壁２３ｂの外面に複数設けてもよい。本実施の形態に示す取付板２０の上側挿入突起２１ａが一つだけである理由であるが、ヒンジ２５を一体的に射出成形するにあたっては、Ｌ字状に屈曲したアーム２５ａや左右方向に（図５で右方向に）延びる回動軸２５ｂを一体成形するためにスライド型を使用し、そのスライド型を図５において右方向にスライドさせなければならない。そのためそのスライド方向（図５においては右方向）の上側外壁２３ａには突出物を設けられないためである。なお上側挿入突起２１ｂは一つだけであるが、二つ設けられた下側挿入突起２１ｂに比べて断面係数が大きくなるように形成されており、強度的には問題ない。
【００４５】
上側挿入突起２１ａは、アーム２５ａの幅の範囲内に位置するように上側外壁２３ａの外面から突設している。すなわち上側挿入突起２１ａは、取付板２０に対する左右方向の位置が、ヒンジ２５のアーム２５ａと同じとなるように、言い換えると、上側挿入突起２１ａとアーム２５ａが上下方向に同一線上に形成されている。また二つ設けられている下側挿入突起２１ｂは、取付板２０に対する左右方向位置として、二つの下側挿入突起２１ｂの間に、すなわちそれぞれの下側挿入突起２１ｂの延長線間にツメ２６が位置されるように下側外壁２３ｂの外面から突設している。上側挿入突起２１ａとアーム２５ａの位置関係と同様に、どちらか一つの下側挿入突起２１ｂがツメ２６と上下方向に同一線上となるように形成されていてもよい。
【００４６】
なおスライド型を用いなければ、上側外壁２３ａに上側挿入突起２１ａを二つ以上の複数突設させてもよく、その場合であれば、いずれか二つの上側挿入突起２１ａの延長線間（二つだけ設ける場合であればそれら二つの上側挿入突起２１ａの延長線間）に、すなわち取付板２０に対する左右方向位置として、いずれか二つの上側挿入突起２１ａの間にアーム２５ａが位置されるように複数の上側挿入突起２１ａを設けるか、もしくはいずれ一つの上側挿入突起２１ａがアーム２５ａと上下方向に同一線上に位置するように形成する。また、下側挿入突起２１ｂを一つだけ突設させる場合では、その一つの下側挿入突起２１とツメ２６とが上下方向に同一線上に位置するように、すなわち取付板２０に対する左右方向の位置が、ツメ２６と同じとなるように形成する。また下側挿入突起２１ｂを二つよりも多い複数突設させてもよく、その場合では、取付板２０に対する左右方向位置として、いずれか二つの下側挿入突起２１ｂの間にツメ２６が位置されるように複数の下側挿入突起２１ｂを設けるか、もしくはいずれ一つの下側挿入突起２１ｂがツメ２６と上下方向に同一線上に位置するように設ける。それらの効果については後述する。
【００４７】
次に、前面パネル１０への取付板２０の取り付け方法について説明する。前面パネル１０はすでに背面が塗装されて（意匠層が形成されて）いるものである。まず上側挿入突起２１ａを上側固定孔１３ａに挿入し、上側外壁２３ａの外面を上側外周壁１１ａの内面に接触もしくは近接させる。上側挿入突起２１ａと上側固定孔１３ａはすきま嵌めの関係にあるのでその挿入は容易に行うことができる。そして取付板２０の曲面状であるベース２２の裏側を前面パネル１０の曲面状の背面（塗装面上）に沿わせるようにして、最後に下側挿入突起２１ｂを下側固定孔１３ｂに挿入する。下側挿入突起２１ｂの挿入の際には、下側挿入突起２１ｂが設けられている取付板２０の下側外壁２３ｂ、もしくは下側固定孔１３ｂが形成されている前面パネル１０の下側外周壁１１ｂの少なくともどちらかを、互いが引き離れる上下方向に弾性変形させて、下側外周壁１３ｂの先端を下側挿入突起２１ｂに乗り越えさせ、下側挿入突起２１ｂを下側固定孔１３ｂまでスライドするように導かせてから下側固定孔１３ｂに挿入する。挿入により弾性変形させた下側外壁２３ｂもしくは下側外周壁１１ｂの弾性変形が解除され、下側外壁２３ｂの外面が下側外周壁１１ｂの内面に接触もしくは近接する。前面パネル１０と取付板２０はともに樹脂製であるので、弾性変形が容易であり、取付板２０の取り付け作業は簡単で短時間に完了させることができる。すなわち取付板２０の前面パネル１０背面へ取り付ける際の作業性が良好となる。
【００４８】
なお、上記のように下側外壁２３ｂ、もしくは下側外周壁１１ｂの少なくともどちらかを弾性変形させ、下側挿入突起２１ｂを下側固定孔１３ｂまでスライドするように導かせてから下側固定孔１３ｂに挿入するので、下側挿入突起２１ｂの下側固定孔１３ｂへの挿入が完了すると、下側外壁２３ｂ、もしくは下側外周壁１１ｂの弾性変形が解除される。そして手作業で取付板２０を前面パネル１０に取り付ける場合、その弾性変形の解除を取り付け作業者は手応えとして感じることができるので、取り付け作業者は、目視だけでなくその手応えによっても、下側挿入突起２１ｂの下側固定孔１３ｂへの挿入が完了したこと、すなわち取付板２０の前面パネル１０への取り付けが完了したことを確認でき、取り付け不良のない信頼性の高い取り付け作業とすることができる。また、上記のように取り付け作業が容易であるので、前面パネル１０や取付板２０が上下方向に曲面状に形成されていて、取り付け時の前面パネル１０が安定した静止状態を維持し難いものであっても、取り付け作業をスムーズに遂行できる。
【００４９】
取付板２０の下側外壁２３ｂの方が、前面パネル１０の下側外周壁１１ｂより剛性が小さいので、弾性変形は下側外壁２３ｂの方が上方に変形させ易い。なお、この下側挿入突起２１ｂの下側固定孔１３ｂへの挿入のために、下側外壁２３ｂがより弾性変形し易くすべく、図６に示すように、ベース２２のツメ台座２７と下側外壁２３ｂとの間に、すなわち下側外壁２３ｂの上部近傍に、前面パネル体１が室内ユニット１００本体に閉状態の時に室内ユニット１００本体の前後方向に、ベース２２を貫通する開口部２９を形成している。開口部２９は、二つの下側挿入突起２１ｂが位置する幅よりも大きい左右方向の幅を有している。この開口部２９を設けることで、下側外壁２３ｂの剛性が小さくなり容易に弾性変形できるようになって、下側挿入突起２１ｂの下側固定孔１３ｂへの挿入が容易に成し遂げられ、取付板２０の前面パネル１０への取り付け作業の作業性がより良好となる、すなわち作業効率が更に向上する。
【００５０】
下側挿入突起２１ｂを先に下側固定孔１３ｂに挿入し、最後に上側挿入突起２１ａを上側固定孔１３ａに挿入するような手順としてもよいが、取付板２０の上部にはヒンジ２５が形成されているため、上側外壁２３ａの剛性が下側外壁２３ｂの剛性に比べて大きく、またヒンジ２５により上側外壁２３ａ近傍に、下側外壁２３ｂ近傍に設けたような開口部２９を形成し難いということもあるので、上記のように先に上側挿入突起２１ａを上側固定孔１３ｂに挿入し、最後に下側挿入突起２１ｂを下側固定孔１３ｂに挿入させるようにした方が、取り付けの作業性がよい。
【００５１】
このように取付板２０の外壁２３や前面パネル１０の外周壁１１の弾性変形を利用して、固定孔１３に挿入突起２１を挿入するだけで、取付板２０を前面パネル１０に取り付けられるので、取り付け作業が簡単で短時間にでき、すなわち作業性が良好で、また取り付け作業時に前面パネル１０や取付板２０が割れたり塑性変形したりすることのない信頼性の高い前面パネル体１が得られる。
【００５２】
なお、挿入突起２１は、図４に示すように固定孔１３に挿入された際、すなわち取付板２０が前面パネル１０の背面に取り付けられた時に、固定孔１３の反挿入側から突出しないような上下寸法に形成されている。また外壁２３の立設方向の先端が、外周壁１１の立設方向の先端と略同じ高さとなるように、外壁２３と外周壁１１の高さが設定されている。取付板２０が前面パネル１０背面に取り付けられた時に、上側外壁２３ａの立設方向の先端は上側外周壁１１ａの立設方向の先端と略同じ高さに、そして下側外壁２３ｂの立設方向の先端は下側外周壁１１ｂの立設方向の先端と略同じ高さになる。同様に側面外壁２３ｃの立設方向の先端は側面外周壁１１ｃの立設方向の先端と略同じ高さになる。
【００５３】
このため、取付板２０が前面パネル１０に取り付けられると、前述の通り、上側外壁２３ａ、下側外壁２３ｂの外面はそれぞれ対向する上側外周壁１１ａ、下側外周壁１１ｂの内面に接触もしくは近接し、また側面外壁２３ｃの外面は対向する側面外周壁１１ｃの内面に接触もしくは近接していることもあり、取付板２０の外壁２３を手や工具でつまむことができず、よって上側外壁２３ａ、下側外壁２３ｂを弾性変形させ難くなるので、容易には挿入突起２１を固定孔１３から抜き出せなくなり、たとえ前面パネル体１の開閉が繰り返されても取付板２０が外れることのない信頼性の高い取付板２０の取り付け状態が得られる。なおここで、外壁２３の立設方向先端の方が外周壁１１の立設方向先端よりわずかに高い状態であっても、手や工具で外壁２３をつまめない程度であれば、その状態は略同じに含まれるものである。さらに外壁２３の立設方向先端の方が外周壁１１の立設方向先端よりも低い状態であれば、手や工具で外壁２３をつまめないことになる。よってここにおいては、外壁２３と外周壁１１の立設方向先端の高さに多少の出入りがあったとしても、手や工具で外壁２３をつまめない状況であれば、外壁２３の立設方向の先端が外周壁１１の立設方向の先端と略同じ高さということに含まれるものとする。また、側面外壁２３ｃの立設方向の先端と側面外周壁１１ｃの立設方向の先端が略同じ高さであるので、開閉作業の際、開閉作業者が前面パネル体１の両側を持って開閉する際に、握り易くなって開閉の操作性が良好となる。
【００５４】
取付板２０を取り外す場合は、先端の細い板状治具を接触もしくは近接している下側外周壁１１ｂ内面と下側外壁２３ｂ外面の対向面間に押し込み、下側外壁２３ｂを弾性変形させて下側挿入突起２１ｂを下側固定孔１３ｂから抜くことで取り外すことができる。なお上側外周壁１１ａ内面と上側外壁２３ａ外面の間に治具を押し込んで上側挿入突起２１ａを先に抜いてもよい。
【００５５】
取付板２０を前面パネル１０と同じ材質の樹脂で成形すれば、廃棄される室内ユニット１００の材料をリサイクルする際に取付板２０を前面パネル１０から取り外さなくともよくなり、リサイクルのための室内ユニット１００解体作業の工程が減り、解体作業効率がよくなる。またコストを下げるために取付板２０を前面パネル１０と同じ樹脂材料とせずに、例えばＰＳ等異なる材料を用いても、上記のように板状治具を用いれば取り外すことが可能であり、解体時に前面パネル１０と取付板２０とを分別することができるので、分別回収したそれぞれの材料の純度が高くなり、有効に再利用することができる。
【００５６】
挿入突起２１と固定孔１３の嵌合は、微小なすきまを有するすきま嵌めであるので、挿入突起２１の挿入によって固定孔１３周縁に応力が作用することはなく、挿入によって外周壁１１の固定孔１３近傍が割れたり、ひびが入ったり、塑性変形してしまったりすることはない。また上記の通り、図５に示す寸法Ｌ１と寸法Ｌ２の関係が、０≦Ｌ１−Ｌ２＜０．６ｍｍとなっているので、挿入突起２１と固定孔１３の嵌合がすきま嵌めであっても、取り付け後の取付板２０が前面パネル１０に対して固定され、上下方向にがたつくことはなく、前面パネル体１の開閉作業の支障とならず、円滑に開閉作業を遂行できる。
【００５７】
また、寸法Ｌ１と寸法Ｌ２の関係が、０≦Ｌ１−Ｌ２＜０．６ｍｍとなっているので、取付板２０の上側外壁２３ａの外面が対向する前面パネル１０の上側外周壁１１ａの内面に接触もしくは近接するかであり、また下側外壁２３ｂの外面が対向する下側外周壁１１ｂ内面に接触もしくは近接するかであり、すなわち、上側外壁２３ａの外面と上側外周壁１１ａの内面、および下側外壁２３ｂの外面と下側外周壁１１ｂの内面とが、それぞれ接触もしくは近接するので、取付板２０の取り付けにより上側外壁２３ａ、下側外壁２３ｂがそれぞれ対向する前面パネル１０の上側外周壁１１ａ、下側外周壁１１ｂを突っ張って、取付板２０の上側外壁２３ａ、下側外壁２３ｂおよび前面パネル１０の上側外周壁１１ａ、下側外周壁１１ｂの根元に応力を作用させることがない。なおＬ１−Ｌ２はこの一実施例では上限として０．６ｍｍ未満としているが、これに限定されるものではない。前面パネル１０の上下方向の長さによってＬ１−Ｌ２の上限値は適宜選択される（前面パネル１０が上下方向に長いほど上限値を大きくする）ものであり、取り付け後の取付板２０が前面パネル１０に対して上下方向にがたついてしまい前面パネル体１の開閉作業に支障が出てしまうようでなければ０．６ｍｍ以上であっても適用できる。
【００５８】
なお閉状態の前面パネル体１にあっては、前面パネル１０の自重により、前面パネル１０の上側外周壁１１ａ内面とそれに対向する取付板２０の上側外壁２３ａ外面が接触し、両者間で前面パネル１０の自重が作用し合う。
【００５９】
また、上記した通り、側面外周壁１１ｃ内面と取付板２０の側面外壁２３ｃ外面との間も、挿入突起２１が固定孔１３内周に干渉して挿入突起２１の根元に応力を作用させたり、側面外周壁１１ｃや側面外壁２３ｃを塑性変形させたりそれらの根元に応力を作用させたりしないように接触もしくは近接させているものであり、そしてすきま嵌めである挿入突起２１と固定孔１３の嵌合すきまは微小なすきまであるので、取り付け後の取付板２０が前面パネル１０に対して固定され、左右方向（室内ユニット１００本体の長手方向）にもほとんどがたつくことはない。
【００６０】
このように、前面パネル１０の上側外周壁１１ａ、下側外周壁１１ｂにこれら外周壁１１ａ、１１ｂをそれぞれ上下に貫通するように設けられた上側固定孔１３ａ、下側固定孔１３ｂに、取付板２０の上側外壁２３ａから上方に突出する上側挿入突起２１ａと下側外壁２３ｂから下方に突出する下側挿入突起２１ｂをすきま嵌めの状態で嵌合されるように挿入して、前面パネル１０の上側外周壁１１ａ、下側外周壁１１ｂと取付板２０の上側外壁２３ａ、下側外壁２３ｂをそれぞれ根元に応力が作用しないで接触させるか、もしくは近接させて取付板２０を前面パネル１０の背面に固定したので、容易に短時間で、すなわち作業性良好に取付板２０の前面パネル１０への取り付けが可能であるとともに、取付板２０の取り付けによって前面パネル１０と取付板２０に応力を作用させないので、前面パネル１０および取付板２０に割れや塑性変形を発生させることがなく、また前面パネル体１の開閉作業や室内ユニット１００本体への脱着の際に取付板２０が外れない信頼性の高い前面パネル体１が得られる。
【００６１】
取付板２０は、図３に示すように前面パネル１０の背面の左右に２ヶ所取り付けられる。図４〜図６に基づいた上記した説明は、前面パネル１０の背面から見て左側に設置される取付板２０を用いた説明であったが、右側に設置される取付板２０に対しても同様である。左側と右側の取付板２０は互いの回動軸２５ｂが対向するようにそれぞれのアーム２５ａの内側面側に突設して形成される。取り付け後の左右両側の取付板２０にて、互いの回動軸２５ｂの上下方向の位置は同じとなるが、それぞれのツメ２６の上下方向の位置は、前面枠２側に設けられるツメの係止具５０の上下方向位置が異なることにより異なっている。なお表示機構６０は取付板２０と干渉しない位置に配置されている。
【００６２】
取付板２０が前面パネル１０の背面の左右両側にそれぞれ塗装面上に取り付け固定されることで完成された前面パネル体１において、図４に示すように、ヒンジ２５のアーム２５ａのＬ字状屈曲部は前面パネル１０の外周壁１１の立設方向先端よりも高い位置にあって、外周壁１１より突出しており、アーム２５ａの端部に設けられる回動軸２５ｂも外周壁１１の立設方向先端よりも高い位置にあって、図２のように前面パネル体１を横方向から見た場合には、前面パネル１０の外周壁１１よりも突出している。そして回動軸２５ｂの上下方向の位置は、前面パネル１０の上側外周壁１１ａと同程度か、上側外周壁１１ａよりも上方の位置、すなわち上側外周壁１１ａの近傍であって、前面パネル体１を裏返さずとも前面パネル体１を正面から見れば、回動軸２５ｂの存在する位置が認識できるようになっている。
【００６３】
続いて前面パネル体１を前面枠２、すなわち室内ユニット１００本体に回動可能にかつ着脱可能に取り付ける方法について説明する。図１に示すように、前面枠２の上部両側には、前面枠２の正面から奥側に（台枠３側に）凹んでその底面に傾斜した溝を有した保持具装着部２ａがそれぞれ一体成形されている。その溝の傾斜方向は、手前側すなわち正面側が下方、奥側が上方に位置するような傾斜である。その溝に図７に示す保持具４０がそれぞれの保持具装着部２ａの底面溝に嵌められている。図７は保持具４０とそれに装着または取り外し中の状態である前面パネル体１のヒンジ２５部を示す斜視図である。
【００６４】
保持具４０は、前面枠２とは別体に、自己潤滑性のある樹脂で一体成形されたもので、前面枠２の保持具装着部２ａ底面に形成される溝の上下両端面に、保持具４０の上係止片４１、下係止片４２がそれぞれ嵌って前面枠２に固定される。図７において下側に位置する下係止片４２が保持具装着部２ａの溝の下端面に保持される。
【００６５】
保持具４０の略中央には上方に開口するＵ字状の開度保持部４３が形成され、上部にはヒンジ２５の回動軸２５ｂを回動自在に支持する下方側のみ略半円状に形成された軸受４４が形成されている。開度保持部４３は上部の開口が少し狭められていて、その開口幅はアーム２５ａの保持面２５ｃが位置する部分の幅よりも小さい。ただし開口を除いたＵ字状の開度保持部４３内面間の幅はアーム２５ａの保持面２５ｃが位置する部分の幅よりも大きく形成されている。
【００６６】
図１に示すように、前面枠２の下部両側には、前面枠２の正面から奥側に（台枠３側に）凹んだ係止具装着部２ｂがそれぞれ一体成形されている。その係止具装着部２ｂ内に図８に示す係止具５０が収納固定されている。図８は係止具５０とそれ嵌入して前面パネル体１の閉状態を保持しているツメ２６部（取付板２０に形成されている）を示す斜視図である。左右２ヶ所の係止具装着部２ｂの位置は、前面枠２の長手方向中央に対して対称である必要はなく、前面枠２が収納する他の部品との関係から適宜設定されればよいが、前面パネル体１の下方寄りに位置させる。
【００６７】
係止具５０は、前面枠２とは別体に、自己潤滑性のある樹脂で一体成形されたもので、その略中央に開口が傾斜して狭められている略Ｕ字状のツメ収納部５１が形成されていて、その開口が前面枠２の前面側となり、Ｕ字状が略水平状態（室内ユニット１００の長手方向と略平行）となるように係止具装着部２ｂに配置されている。
【００６８】
前面パネル体１を前面枠２すなわち室内ユニット１００本体に装着するには、まず前面パネル体１の両側下方を持って、すなわち前面パネル１０の左右側に位置する外周壁１１を中心に握って、前面パネル体１を前面枠２に対して略９０°の状態としてから両側の取付板２０に形成されているヒンジ２５の先端を左右略同時に前面枠２の係止具装着部２ｂ内に挿入し、ヒンジ２５の先端に形成されている回動軸２５ｂを保持具４０に形成されている軸受４４に嵌合させる。軸受４４は下方側だけの半円状であるので、嵌合させるというのは、軸受４４の内周面に載せることである。なお軸受４４が下方側しか存在しないのは、前面パネル体１の自重という一定方向の荷重しか支持しなくてよいためである。
【００６９】
軸受４４への回動軸２５ｂの嵌合は、前面パネル体１を前面枠２に対して略９０°の状態で奥側すなわち台枠３側に押し付けることで、突設している軸受４４の前面側に位置する先端部４４ａが回動軸２５ｂによって弾性変形して押し下げられることで、回動軸２５ｂが軸受４４の先端部４４ａを乗り越えて軸受４４の内周面上に載置される。軸受４４は回動軸２５ｂが先端部４４ａを乗り越えると弾性変形が解除される。このように軸受４４が弾性変形して回動軸２５ｂが軸受４４に嵌合され、嵌合後は軸受４４の弾性変形が解除されるので、前面パネル体１の取り付け（装着）作業者は、軸受４４の弾性変形を手応えとして感じることができるので、装着の完了、そして正常に装着できたかをこの手応えから判断することが可能となる。
【００７０】
そして前面パネル体１の装着作業において、ヒンジ２５の回動軸２５ｂが前面パネル１０の外周壁１１よりも突出していて、また前面パネル体１を正面から見た場合に、回動軸２５ａが前面パネル１０の上部に認識できる位置に配置されているので、装着する作業者は、いちいち前面パネル体１を裏返して（取付板２０のある側に向きを変えて）ヒンジ２５や回動軸２５ｂの位置を確認しなくても回動軸２５ｂの位置が把握できるので、回動軸２５ｂの軸受４４への嵌合を短時間で容易にしかも正確に実施することができ、作業性良好で信頼性の高い作業が実現できる。
【００７１】
回動軸２５ｂの軸受４４への嵌合が両側とも完了すると、前面パネル体１を閉状態とすべく回動軸２５ｂを回動基点として下方に押し下げる。そのときの開口の両側に位置する上端面４３ａにヒンジ２５の保持面２５ｃが接触して停止する。この状態が前面パネル体１を開状態に保持しているときである。前面パネル体１を更に下方へ回動させようと力を加えると、アーム２５ａの両側の保持面２５ｃがＵ字状の開度保持部４３を外側に弾性変形させ、開度保持部４３の開口を乗り越え、Ｕ字状の開度保持部４３の内面間へと進入する。開度保持部４３の内面間の幅はアーム２５ａの保持面２５ｃが位置する部分の幅よりも大きく形成されているので、アーム２５ａが開度保持部４３の開口を通過して開度保持部４３の内面間に収納されると開度保持部４３の弾性変形は終了する。
【００７２】
前面パネル体１の下方への回動を続けると、取付板２０のツメ２６が前面枠２に固定された係止具５０と接触する。そして菱状のツメ２６が係止具５０のツメ収納部５１の傾斜して狭めらている開口を広げて、すなわちツメ収納部５１を外側に弾性変形させてツメ収納部５１内に進入して収納される。ツメ２６のツメ収納部５１内への収納が完了すると、ツメ収納部５１の弾性変形が解除される。取り付け作業者はこのツメ収納部５１の弾性変形の解除を手応えとして感じることができ、ツメ２６の収納完了をこの手応えにより判断できる。
【００７３】
ツメ収納部５１は開口の幅がツメ２６の左右方向の幅よりも狭いので、ツメ２６のツメ収納部５１開口からの自発的な脱出を防ぎ、前面パネル体１の下方部分の浮き上がりを防止している。ツメ２６がツメ収納部５１に収納され、ツメ２６がツメ収納部５１の開口に引っ掛かることで、前面パネル体１が浮き上がることなく、閉状態が安定的に保持され、外観の見映えがよくなり、前面パネル体１が回動軸２５ｂを基点にして回動方向にがたつくこともない。
【００７４】
前面パネル体１の取り付けられた室内ユニット１００において、前面パネル１０の上側外周壁１１ａ、下側外周壁１１ｂには上下方向にそれぞれ貫通した上側固定孔１３ａ、下側固定孔１３ｂと、それらの固定孔１３ａ、１３ｂにそれぞれ挿入された取付板２０の上側挿入突起２１ａ、下側挿入突起２１ｂが存在する。室内ユニット１００は、一般的に室内において壁の上方に設置されるため、上側外周壁１１ａの固定孔１３ａ、およびそれに挿入された上側挿入突起２１ａの上端は、使用者が意図的に上方から覗き込まない限り室内にいる使用者の目に触れることはなく、室内ユニット１００の外観意匠を悪化させることはない。
【００７５】
しかし下側外周壁１１ｂに形成された下側固定孔１３ｂ、およびそれに挿入された下側挿入突起２１ｂの突端は、使用者が見上げれば目に触れてしまう位置にあるので、これらを使用者の目に触れないようにしなければ外観意匠の悪化につながる。そのためこの実施の形態１の室内ユニット１００では、図１、図２に示すように、前面枠２の前面側下方で吹出口７より上方の位置に前面パネル１０の下側外周壁１１ｂおよび取付板２０の下側外壁２３ｂを収納する収納溝２ｃを前面枠２に一体的に成形している。収納溝２ｃは図２に示すように、前面枠２の前面側に開口して奥側すなわち台枠３側に向かって断面略コ字状に凹んだ形状をなし、図１に示すように前面枠２の長手方向（左右方向）に前面枠２の一方の側端から他方の側端まで延びて形成されている。前面パネル体１が閉状態の時、前面パネル１０の下側外周壁１１ｂ、および取付板２０の下側外壁２３ｂがこの収納溝２ｃ内に収納される。収納溝２ｃは下側外周壁１１ｂを長手方向にすべて収納する。下側外周壁１１ｂの収納溝２ｃへの収納は、収納作業を伴うものではなく、前面パネル体１を閉じる、すなわちツメ２６をツメ収納部５１に収めるだけで自動的になされるものである。
【００７６】
図９は、収納溝２ｃに収まった下側外周壁１１ｃの下側固定孔１３ｂ部分の拡大縦断面図である。下側外周壁１１ｂおよび下側外壁２３ｂが収納溝２ｃに収納されることで、図９に示すように下側外周壁１１ｂを上下方向に貫通する下側固定孔１３ｂの下端開口周縁、およびそれに挿入された下側挿入突起２１ｂの突端（下端）は、室内ユニット１００の外観上に現れなくなり、室内にいる使用者が室内ユニット１００を見上げても、それらが使用者の目に触れることはなく、室内ユニット１００の優れた意匠性が得られる。
【００７７】
また、前面パネル１０の上側外周壁１１ａ、下側外周壁１１ｂの室内に臨む正面側（パネル部１２の正面と連続した面となる部位）にシボ加工を施すことにより、前面パネル体１を正面から見た時に、前面パネル１０背面の塗装面よりも奥側に位置し外周壁１１を透けて外観上に現れることになる上側挿入突起２１ａ、下側挿入突起２１ｂの側面（正面側に向いている側面）部をそれぞれ使用者から見え難くでき、室内ユニット１００の意匠性を良好にすることができる。なおシボ加工とは表面に任意の特定パターンのしわ模様を形成する処理であり、この処理を透明材の表面に施すことで、透過する光を拡散させてぼやかすことができる。
【００７８】
上側固定孔１３ａ、下側固定孔１３ｂの内周面に前面パネル１０の背面同様に塗装を施した場合でも、両固定孔１３ａ、１３ｂ内周の塗装は、前面パネル１０背面の塗装面よりも奥側に位置し外周壁１１を透けて正面外観上に現れることになるので、同様に前面パネル１０の上側外周壁１１ａ、下側外周壁１１ｂの正面側にシボ加工を施すことで、その固定孔１３ａ、１３ｂ内周の塗装を使用者から見え難くでき、室内ユニット１００の意匠性を良好にすることができる。
【００７９】
なお前面パネル１０の上側外周壁１１ａと下側外周壁１１ｂ正面側のシボ加工は、左右それぞれの固定孔１３ａ、１３ｂの位置とそれらの近傍に施すだけでもよいし、前面パネル１０の長手方向に全長に渡って施してもよい。これらのシボ加工は、前面パネル１０の成形時に同時に行われる。
【００８０】
続いて使用者による前面パネル体１の開閉作業について説明する。使用者は前述したようなエアフィルター７１の清掃等のために、あるいは室内ユニット１００の清掃のために室内の壁に設置された室内ユニット１００の前面パネル体１を開閉する。前面パネル体１を使用者が開けるには、まず室内ユニット１００が停止状態の時に、前面パネル体１の両側に指をかけ、手前（使用者自身の方）に引くようにして、左右のツメ２６を係止具５０のツメ収納部５１から抜き出す。
【００８１】
室内ユニット１００では、図１に示すように係止具５０が固定される近傍の前面枠２の両側面に、前面に向かって開口する内側に凹んだ略半円形状の窪み３０をそれぞれ設けており、前面パネル１０の側面外周壁１１ｃの立設方向先端でこの窪み３０の前面開口に対向する部分は、窪み３０により奥側（台枠３側）に向かって露出している。そのため使用者がこの窪み３０に親指以外の指の指先を入れることで、前面パネル１０の左右両側の側面外周壁１１ｃの先端（台枠３側を向いている面）に指をかけることができ、使用者による前面パネル体１を開く作業が容易に行え、使用者にとって使い勝手のよい空気調和機の室内ユニットとなる。
【００８２】
使用者が両側の窪み３０に指を入れて前面パネル体１を手前に引くようにすることで、菱状のツメ２６は、係止具５０のツメ収納部５１の傾斜して狭めらている開口を広げて、すなわちツメ収納部５１を外側に弾性変形させてツメ収納部５１から抜き出る。その際ツメ２６は、ツメ収納部５１の開口により取付板２０のベース２２から引き離す方向の引っ張り力を受けることになるが、ツメ２６は、取付板２０の左右方向において、二つの下側挿入突起２１ｂの間に位置しているので、このような引っ張り力が作用しても、取付板２０のベース２２は、左右方向にねじれることがなく、すなわちツメ２６と下側挿入突起２１ｂ間に左右方向のねじりモーメントが発生することがない。
【００８３】
なお、前面パネル体１を閉じる時には、前述した前面パネル体１の装着作業で説明したように、ツメ２６がツメ収納部５１を外側に弾性変形させてツメ収納部５１に収まるわけだが、この際には逆にツメ２６はベース２２に向かって押し付けられる力をツメ収納部５１の開口から受ける。しかしこのような力が作用しても上記の開作業時の引っ張り力が作用した時と同様な理由で取付板２０のベース２２は、左右方向にねじれることがない。このため前面パネル体１の開閉により、ツメ２６のツメ収納部５１への脱着が繰り返されても、取付板２０のベース２２が塑性変形したり、割れたりしてしまうことはなく、また下側挿入突起２１ｂが破断することもない開閉作業に対する信頼性の高い前面パネル体１が得られる。
【００８４】
なお下側挿入突起２１ｂを一つのみの形成とし、その一つのみの下側挿入突起２１ｂとツメ２６が上下方向に同一線上に位置するようにように設けた場合、もしくは複数設けたの下側挿入突起２１ｂのいずれか一つとツメ２６が上下方向に同一線上に位置するようにように設けた場合でも、前面パネル体１の開閉によるツメ２６のツメ収納部５１への脱着の際に、ツメ２６がツメ収納部５１の開口から力を受けても、ツメ２６と下側挿入突起２１ｂが同一線上に位置しているので、ツメ２６と下側挿入突起２１ｂ間に左右方向のねじりモーメントが発生することがなく、取付板２０のベース２２は、左右方向にねじれることがない。そのためツメ２６のツメ収納部５１への脱着が繰り返されても、取付板２０のベース２２が塑性変形したり、割れたりしてしまうことはなく、また下側挿入突起２１ｂが破断することもない開閉作業に対する信頼性の高い前面パネル体１が得られる。なお下側挿入突起２１ｂが三つ以上突設されている場合でも同様に、取付板２０に対する左右方向位置として、いずれか二つの下側挿入突起２１ｂの間にツメ２６が位置するように設ける場合でも上記と同じで取付板２０のベース２２は、左右方向にねじれることがなく、同様な効果が得られる。
【００８５】
また、前述の通り前面パネル体１は、取付板２０が前面パネル１０の側面外周壁１１ｃと取付板２０の側面外壁２３ｃとが接触もしくは近接するように前面パネル１０へ取り付けられているので、前面パネル体１は取付板２０がある左右両側部位の剛性が見かけ上強くなっている。そのため使用者が前面パネル体１の両側（左右両側の側面外周壁１１ｃ）を持って開く際に、上記したツメ２６がツメ収納部５１から抜け出る時にツメ２６に作用する引っ張り力によって、前面パネル体１のツメ２６より外方となる左右両側部位の手前側（開けようとしている使用者側）への弾性変形を抑制でき、開く操作、特にツメ２６がツメ収納部５１から抜け出させるために使用者が力を入れる時の操作性が、使用者にとって良好に感じられる。
【００８６】
また閉じる時にツメ２６を係止具５０のツメ収納部５１に収納する場合にも、同様に力を入れる時の操作性が良好となる。このように取付板２０が前面パネル１０の側面外周壁１１ｃと取付板２０の側面外壁２３ｃとが接触もしくは近接するように前面パネル１０へ取り付けているので、前面パネル体１の左右両側部位の剛性が強くなって、使用者が前面パネル体１の両側を持って開閉する際、使用者が握っている部分が弾性変形し難く、使用者にとって開閉の操作性が良好となる。
【００８７】
使用者が前面パネル体１を開ける際に、前面パネル１０の一方の側面外周壁１１ｃを持って、すなわち前面パネル体１の片側だけを持って開こうとして、前面パネル体１の左右両側部位に過大な力が作用しても、上記の通り前面パネル体１は取付板２０のある左右両側部位の剛性が強くなっているので、前面パネル１０の左右両側部位が割れたり、塑性変形したりすることのない信頼性の高い前面パネル体１が得られる。
【００８８】
使用者がツメ２６のツメ収納部５１からの解除後、前面パネル体１を上方へ持ち上げるように回動させると、ヒンジ２５のアーム２５ａが、保持具４０の開度保持部４３の開口に接触するが、力を加えてアーム２５ａによりＵ字状の開度保持部４３を外側に弾性変形させ、開度保持部４３の開口を通過させて、アーム２５ａを開度保持部４３の内面間から脱出させる。アーム２５ａが開度保持部４３の開口を完全に通過し終わると、開度保持部４３の弾性変形は解除される。
【００８９】
ところで前面パネル体１が閉状態時には、回動軸２５ｂが軸受３３に支持されることで前面パネル体１の自重を支えている。そのため閉状態時にはアーム２５ａの根元に回動軸２５ｂが軸受４４からの受ける反力によるモーメントが作用しているが、この開度保持部４３の開口をアーム２５ａが通過する際、アーム２５ａの開度保持部４３の開口と接触する部位には、開度保持部４３からの力が作用し、その力によりアーム２５ａの根元には閉状態時に作用しているモーメントよりも大きなモーメントが作用する。
【００９０】
アーム２５ａを開度保持部４３内面間から抜き出せば、使用者による前面パネル体１を開く作業は終了する。使用者は開度保持部４３の弾性変形は解除される手応えを、前面パネル体１を持つ手から感じることで、アーム２５ａの脱出、すなわち前面パネル体１の開く作業の終了を認識できる。この時点で前面パネル体１から使用者が手を放すと、アーム２５ａの途中に形成されている保持面２５ｃが弾性変形解除後の開度保持部４３の上端面４３ａに接触し、この上端面４３ａに保持面２５ｃが支持される、言い換えれば、保持具４０の開度保持部４３にヒンジ２５のアーム２５ａが支持されることで、前面パネル体１は所定の角度で開状態が保持される（所定の開度が維持される）。
【００９１】
室内ユニット１００が室内の壁に設置された時に、開度保持部４３の上端面４３ａが天井を向くように、すなわち上端面４３ａと天井が略平行となるように保持具４０が形成されており、ヒンジ２５の保持面２５ｃの傾きによって前面パネル体１の開度を決定している。この室内ユニット１００では、前面パネル体１が前面枠２の前面から６０°に開状態が保持されるように、すなわち開度６０°で維持されるように、保持面２５ｃが形成されている。開度６０°であればエアフィルター７１の着脱や室内ユニット１００内部の清掃を行う際に、使用者が開状態の前面パネル体１の存在を邪魔に感じず容易に行うことができる。図１は前面パネル体１が開度６０°で保持された状態を示している。
【００９２】
前述の通り、前面パネル体１の室内ユニット１００本体へ装着するときは、上記の開度を用いれば開度が９０°の状態から装着を始める。逆に開度９０°まで前面パネル体１を持ち上げて手前に引くことで、軸受４４を回動軸２５ｂにより弾性変形させて回動軸２５ｂを軸受４４から取り出し、前面パネル体１を室内ユニット１００本体から取り外すことができる。よって、前面パネル体１の開状態を保持する角度（開度）は、９０°より小さくないとならない。そして開状態にして使用者が行う各種作業に対して、開状態の前面パネル体１が作業の障害とならないためには、開度は４５°以上必要である。
【００９３】
なお、開度９０°より大きい角度で前面パネル体１が室内ユニット１００本体に着脱できるようにすると、室内ユニット１００を室内の壁に設置後に使用者が前面パネル体１を室内ユニット１００本体から取り外そうとしても、前面パネル体１の下部が天井に接触して取り外せない状態が起こり得るため、前面パネル体１を室内ユニット１００本体に着脱するのに必要な前面パネル体１の開度は９０°が望ましいのである。使用者が前面パネル体１の着脱を行えるので、前面パネル体１を取り外して、前面パネル体１を清掃したり、室内ユニット１００本体を清掃したりすることができる。
【００９４】
Ｌ字状のアーム２５ａにより、アーム２５ａ端部に設けられる回動軸２５ｂが、前面パネル体１を横方向から見た場合に、前面パネル１０の外周壁１１よりも突出していて、その上下方向の位置が上側外周壁１１ａの近傍となるので、回動軸２５ｂを基点として、前面パネル１０の上側外周壁１１ａが前面枠２の上面に接触することなく、閉状態から９０°の開度まで回動させることができる。
【００９５】
前面パネル体１が所定の開度（ここでは６０°）で開状態を保持されている時、前面パネル体１の自重を左右両側の保持具４０の開度保持部４３が支持する。そのため開状態は保持されている間、ヒンジ２５の保持面２５ｃは、接触する開度保持部４３の上端面４３ａから反作用として自重と等しい抗力を受けている。その抗力によりアーム２５ａの根元にはモーメントが作用するが、このモーメントは閉状態時に作用しているモーメントと同程度である。
【００９６】
使用者がエアフィルター７１の清掃等の作業を終了し、前面パネル体１の開状態を解除して前面パネル体１を閉じようとする場合、開状態の前面パネル体１の両側、すなわち左右の前面パネル外周壁１１を持って下方に押し下げるような力を加える。これにより保持面２５ｃが支持されていた開度保持部４３を外側に弾性変形させ、開度保持部４３の開口を乗り越える。これにより開度保持部４３による前面パネル体１の自重の支持が解除され、回動軸２５ｂを回動基点として下方に回動する。そしてアーム２５ａが開度保持部４３の開口を通過して開度保持部４３の内面間に収まると開度保持部４３の弾性変形は終了する。
【００９７】
保持面２５ｃがＵ字状の開度保持部４３を外側に弾性変形させ、開度保持部４３の開口を乗り越える際には、開状態を保持されている時に保持面２５ｃに作用する抗力（前面パネル体１の自重の反作用）よりも大きな力が保持面２５ｃに作用する。その力によりアーム２５ａの根元には閉状態時に作用しているモーメントに比べて大きなモーメントが作用する。
【００９８】
引き続き前面パネル体１を下方へ回動させ、前述した装着作業者による前面パネル体１の装着作業と同様に、ツメ２６により係止具５０のツメ収納部５１を外側に弾性変形させ、ツメ２６をツメ収納部５１内に収納することで、前面パネル体１の閉じる作業が終了する。ツメ２６のツメ収納部５１内への収納が完了すると、ツメ収納部５１の弾性変形は解除され、使用者はこのツメ収納部５１の弾性変形の解除を手応えとして感じることができ、ツメ２６の収納完了、すなわち閉じる作業の完了をこの手応えによって確認できる。
【００９９】
上記の通り前面パネル体１の開閉作業において、アーム２５ａが開度保持部４３の開口をそれぞれ乗り超える時に、アーム２５ａの根元には大きなモーメントが作用する。開閉作業に応じてこの大きなモーメントが繰り返しアーム２５ａの根元に発生する。しかしこの取付板２０は、アーム２５ａの根元に位置するベース２２の裏側に凹部２８が形成され、その部分のベース２２が内側に出っ張っり、アーム２５ａ根元のベース２２の裏側には前面パネル１０との間に空間が存在しているので、アーム２５ａ根元のベース２２が、アーム２５ａに作用するモーメントを受けて弾性変形することができる。凹部２８は、アーム２５ａ根元のベース２２がモーメントを受けて弾性変形できる深さが少なくとも必要である。
【０１００】
アーム２５ａ根元のベース２２が弾性変形することによって、開閉作業に応じて繰り返えされる大きなモーメントによりアーム２５ａ根元のベース２２に発生する応力を広く分散させ、局部的に応力が集中しないようにすることができる。これにより開閉作業により、アーム２５ａに閉状態時に作用しているモーメントに比べ大きなモーメントが繰り返し作用してもアーム２５ａが根元でベース２２から破断することのない開閉作業に対する信頼性の高い取付板２０、ひいては前面パネル体１が得られる。
【０１０１】
また、前面パネル体１の開閉作業において、アーム２５ａや保持面２５ｃは開度保持部４３から力を受けるが、アーム２５ａは、取付板２０において上側挿入突起２１ａと上下方向に同一線上に位置しているので、取付板２０のベース２２は、左右方向にねじれることがなく、すなわちアーム２５ａと上側挿入突起２１ａ間に左右方向のねじりモーメントが発生することがない。このため前面パネル体１の開閉が繰り返されても、取付板２０のベース２２が浮き上がったり、塑性変形したり、割れたりしてしまうことはなく、また上側挿入突起２１ａが破断することもない開閉作業に対する信頼性の高い前面パネル体１が得られる。
【０１０２】
また、上側挿入突起２１ａが複数突設される場合でも、取付板２０に対する左右方向位置として、いずれか二つの上側挿入突起２１ａの間にアーム２５ａが位置するように突設させるので、取付板２０のベース２２は、左右方向にねじれることがなく、すなわちアーム２５ａと上側挿入突起２１ａ間に左右方向のねじりモーメントが発生することがない。よって前面パネル体１の開閉が繰り返されても、取付板２０のベース２２が浮き上がったり、塑性変形したり、割れたりしてしまうことはなく、また上側挿入突起２１ａが破断することもない開閉作業に対する信頼性の高い前面パネル体１が得られる。
【０１０３】
前面パネル体１が長手方向（室内ユニット１００の左右方向）に長い場合には、左右両側に取り付けた取付板２０のツメ２６を、前面枠２の係止具４０に保持させて閉状態を維持させても、前面パネル体１の中央部が前面パネル１０の成形時の反り等により浮き上がることもある。室内ユニット１００はこの中央部の浮き上がりを防ぐ構造を有しており、これについて説明する。図１０は前面パネル体１の留め突起１５を示す斜視図であり、留め突起１５は下側外周壁１１ｂ外面から突出する、すなわち前面パネル体１が閉状態時に下側外周壁１１ｂの下端面から下方に向かって突出するもので、切欠き部１４に近い位置で切欠き部１４の両側にそれぞれ設けられている。留め突起１５は、前面パネル１０と一体成形される。図１１は留め突起１５の係止状態を示す縦断面図である。前面パネル体１が閉状態にて留め突起１５の位置と相対する収納溝２ｃの底面には、上方に向かって突出する掛かり突起２ｄが前面枠２と一体的に設けられている。
【０１０４】
前面パネル体１を閉じると、前面パネル体１の長手方向中央下部において、図１１に示すように、留め突起１５が掛かり突起２ｄを乗り越えて、前方に位置する掛かり突起２ｄに引っ掛かり、前面パネル体１の長手方向中央の浮き上がり発生を防ぐことができる。室内ユニット１００では、留め突起１５を切欠き部１４の両側に二つ設けたが、切欠き部１４を有さない矩形状の前面パネルであれば、留め突起１５を下側外周壁１１ｂの略中央に一つだけ設け、それを引っ掛ける掛かり突起２ｄもその留め突起１５と相対する位置の収納溝２ｃ底面に一つだけ形成するようにしてもよい。
【０１０５】
なお収納溝２ｃの底面に、掛かり突起２ｄではなく、留め突起１５を周縁に引っ掛ける掛かり穴を掛かり突起２ｄの代わりに凹設するように構成してもよい。また、逆に収納溝２ｃ底面の掛かり突起２ｄに周縁が引っ掛かるような留め穴を前面パネル１０の下側外周壁１１ｃの外面に凹設するように構成してもよい。
【０１０６】
このように前面パネル体１の略中央下部において、下側外周壁１１ｃ外面に留め突起１５もしくは留め穴を設け、収納溝２ｃ底面に、留め突起１５を引っ掛ける掛かり突起２ｄもしくは掛かり穴を設けるか、または留め穴を引っ掛ける掛かり突起２ｄを設けて、下側外周壁１１ｃに設けた留め突起１５もしくは留め穴を引っ掛けることで、成形時や経年劣化等で起こり得る前面パネル１０の反りよる前面パネル体１の閉状態における中央部の浮き上がりの発生を防止することができる。
【０１０７】
前面パネル体１が長手方向（室内ユニットの左右方向）に長い場合の前面パネル１０の反り等による中央の浮き上がりを防ぐ別の実施例を説明する。前面パネル１０の背面中央部に取付板２０を取り付けて、また前面枠２の中央下方に係止具５０を設置し、中央にてツメ２６を係止具５０に引っ掛かるようにして、前面パネル体１の長手方向中央の浮き上がり発生を防止してもよい。このように前面パネル体１中央の浮き上がりを防ぐために前面パネル１０の背面中央部に取付板２０を取り付ける場合では、取付板２０にはヒンジ２５を設けない。中央にもヒンジ２５が形成されない取付板２０を取り付けることで、前面パネル体１の剛性を高めて、前面パネル１０の経年劣化による変形を防ぐことができる。また表示機構６０を設けないものであれば、前面パネル１０の背面全体に、両側のヒンジ２５やツメ２６もしくは中央のツメ２６をも設けた一枚の取付板を取り付けて前面パネル体１の剛性を高めてもよい。
【０１０８】
室内ユニット１００が、中央下部に回動する赤外線センサ７２を設けており、この赤外線センサ７２を室内に露出させるために、前面パネル１０の下部中央に切欠き部１４が形成されている前面パネル体１で、前面パネル１０の背面中央に上記のようなツメ２６を有しヒンジ２５を有さない取付板２０を取り付ける場合では、切欠き部１４の上側の周縁を外周壁１１同様の高さに形成して、ここに上下に貫通する下側固定孔１３ｂを設けて取付板２０の下側挿入突起２１ｂを挿入すればよい。そして切欠き部１４の上側周縁を格納する凹溝を前面枠２の赤外線センサ７２の上部に設け、この凹溝に切欠き部１４の上側周縁を収納すれば、中央の取付板２０の下側挿入突起２１ｂや下側固定孔１３ｂの下端が室内ユニット１００の外観上に現れなくなって、室内ユニット１００の良好な意匠性を保つことができる。なおこの場合でも、挿入突起２１と固定孔１３の嵌合だけでなく、上側外壁２３ａ外面と上側外周壁１１ａ内面、および下側外壁２３ｂ外面と切欠き部１４の上側周縁の内面とを、それぞれ接触もしくは近接させて取付板２０を固定する。
【０１０９】
この実施の形態で示す取付板２０は、前面枠２に設けた係止具５０に引っ掛かり、前面パネル体１の閉状態を保持する（閉状態に固定する）ためのツメ２６を備えていたが、取付板２０にツメ２６およびツメ台座２７を設けないで、前面パネル体１の閉状態を保持するまた別の実施例を、図１２を用いて説明する。図１２はこの実施例の要部を示す縦断面図であり、図１２に示すように、下側挿入突起２１ｂが、下側固定孔１３ｂの反挿入側から突出するような上下寸法に形成されており、下側挿入突起２１ｂが下側外周壁１１ｂを貫通し、下側外周壁１１ｂの外面から下側挿入突起２１ｂの突端部分が突出している。この下側外周壁１１ｂ外面から突出した下側挿入突起２１ｂの突端部分が、留め凸部３１となる。なお図１２に図示しないが、この場合の取付板２０は、ツメ２６を有さないが、ヒンジ２５は上方に設けられている。
【０１１０】
この留め凸部３１に相対する収納溝２ｃの底面に図１２に示すように、掛かり突起２ｄを設け、前面パネル体１を閉じると、取付板２０の下部において、図１２に示すように、下側挿入突起２１ｂの留め凸部３１が掛かり突起２ｄを乗り越えて、前方に位置する掛かり突起２ｄに引っ掛かり、前面パネル体１の浮き上がり防止して、前面パネル体１の閉状態を保持することができる。なお収納溝２ｃの底面に、掛かり突起２ｄではなく、留め凸部３１を引っ掛ける掛かり穴を掛かり突起２ｄの代わりに設け、留め凸部３１をその掛かり穴の周縁に引っ掛けるように構成してもよい。
【０１１１】
図１２に示す実施例では、ツメ２６やこのツメ２６を閉状態時に収納する係止具５０を設けなくても、前面パネル体１の浮き上がり防止して、前面パネル体１の閉状態を保持することが可能となるので、部品点数や材料の使用量を削減でき、室内ユニット１００のコストを低減できる効果がある。なお、取付板２０にツメ２６を設け、さらに下側挿入突起２１ｂが留め凸部３１を有するように形成して、ツメ２６を係止具５０に引っ掛け、留め凸部３１を掛かり突起２ｄもしくは掛かり穴に引っ掛け、すなわちツメ２６と留め凸部３１の両方を使用して、前面パネル体１の閉状態を保持するようにしてもよい。
【０１１２】
なお、取付板２０を自己潤滑性のある樹脂で成形すれば、保持具４０や係止具５０を自己潤滑性のある樹脂で成形しなくてもツメ２６や回動軸２５ｂの摩耗を抑えられるとともに、留め凸部３１を使って閉状態保持を実施する場合に、留め凸部３１およびそれと掛かり合う掛かり突起２ｄもしくは掛かり穴の摩耗を抑制することができる。
【０１１３】
また、上記した室内ユニット１００では、前面パネル体１の上下方向への回動の支持構造として、アーム２５ａの端部に回動軸２５ｂを設け、保持具４０に軸受４４を形成するようにしたが、アーム２５ａの先端にＣ形状の回動軸受を設け、保持具４０の側に回動軸を設け、Ｃ形の回動軸受が保持具４０の回動軸をくわえこむ様にしてこれらを嵌合させて、前面パネル体１の回動を支持させるように構成してもよい。
【０１１４】
また、取付板２０のベース２２内側に、例えばＲやＬのように、前面パネル１０へ取付板２０を取り付ける作業者が、前面パネル１０の左右のどちらに取り付けられるべきものかすぐに判断できる記号を設けることで、取り付け作業の作業性や信頼性を向上させることができる。
【０１１５】
また、上記した前面パネル１０は透明材で成形され、背面に塗装等により意匠層を形成したものであるが、透明材でなく、半透明材料であってもよい。また、背面に意匠層を設けずに、白色やベージュ色などの予め色を有した樹脂で成形された従来より一般的な前面パネルは、ヒンジやツメを前面パネルと一体に成形していたが、このような色を有した樹脂で背面に意匠層を設けない前面パネルであっても、ヒンジやツメを前面パネルに一体的に設けず、本発明に示す取付板２０を取り付けることで、開閉作業の繰り返しにより前面パネルが塑性変形したり割れたりしない開閉作業に対する信頼性が高い前面パネル体１が得られる。更に前面パネルにヒンジやツメを一体成形しないことで、前面パネル成形の型構造が簡素化でき、板厚も均一にできるので、細長い略矩形状の前面パネルの成形性を良好として反りの発生を防いで歩留まりを改善し、型寿命も長くする効果が得られる。
【０１１６】
なお上記した前面パネル１０では、上側固定孔１３ａ、下側固定孔１３ｂはそれぞれ上側外周壁１１ａ、下側外周壁１１ｂを上下方向に貫通するように形成されていた。固定孔１３は、前面パネル１０の成形の際、スライド型をスライドさせて一体成形する。前面パネル１０が透明材で成形される場合、このスライド型を前面パネル１０の背面に設置することはできない。何故ならば、前面パネル１０背面上のスライド型と前面パネル１０の前後方向に分割される本型との合わせ面の部位に、僅かに突出するラインが形成されてしまうためである。すなわち前面パネル１０の背面に合わせ面に沿ったラインが僅かに出っ張るのである。型の合わせ面が位置する表面にラインが形成されるのは射出成形では避けることはできない。しかし透明材の前面パネル１０にこのようなラインが形成されると、背面であり、さらにその背面に塗装を施したとしても、前面パネル１０を正面から見た時にそのラインが見えてしまい、室内ユニット１００の意匠性が悪化してしまうことになる。
【０１１７】
そのためスライド型を前面パネル１０の背面には設置せずに、上側固定孔１３ａのためのスライド型を上側外周壁１１ａより上方に設置して、上方へスライドさせて上側固定孔１３ａを形成し、下側固定孔１３ｂのためのスライド型を下側外周壁１１ｂより下方に設置して、下方へスライドさせて下側固定孔１３ｂを形成する。よって上側外周壁１１ａの内面、下側外周壁１１ｂの内面にそれぞれ開口するような固定孔１３を形成しようとすれば、スライド型が上側外周壁１１ａ、下側外周壁１１ｂの内面から外面の方向にそれぞれスライドするので、固定孔１３は外周壁１１の内面から外面まで貫通する貫通孔となるのである。
【０１１８】
しかし透明材でない色を有した樹脂で背面に意匠層を設けない前面パネルであれば、型の合わせ面によるラインが形成されたとしても正面からそのラインが見えることはないので、スライド型を前面パネルの背面に設置し、上側外周壁１１ａ、下側外周壁１１ｂの外面から内面の方向にそれぞれスライドさせることが可能となる。また透明材であっても、型の合わせ面により形成されてしまう背面のラインを正面から見たときの意匠の一部として取り扱うようにするのであれば、同様にスライド型を前面パネルの背面に設置し、上側外周壁１１ａ、下側外周壁１１ｂの外面から内面の方向にそれぞれスライドさせることが可能となる。
【０１１９】
上側固定孔１３ａ、下側固定孔１３ｂの一体成形に際し、それぞれスライド型を前面パネルの背面に設置し、それぞれ上側外周壁１１ａ、下側外周壁１１ｂの外面から内面の方向にスライドさせるようにして形成すれば、外周壁１１を上下方向に貫通する貫通孔としないで、上側固定孔１３ａを上側外周壁１１ａの内面に開口し、上側外周壁１１ａの外面に達する手前で止まりとなる有底の凹状に形成することができ、同様に下側固定孔１３ｂを下側外周壁１１ｂの内面に開口し、下側外周壁１１ｂの外面に達する手前で止まりとなる有底の凹状に形成することができる。すなわち上側固定孔１３ａは上側外周壁１１ａの内面に開口し、また下側固定孔１３ｂは下側外周壁１１ｂの内面に開口してそれぞれ上下方向に形成されるが、外周壁１１を貫通はせずにそれぞれ外面の手前で止まりとなって底面を有した凹状の孔として形成されるのである。
【０１２０】
上側固定孔１３ａ、下側固定孔１３ｂを貫通孔とせずにこのように有底な凹状に形成し、そこに取付板２０の上側挿入突起２１ａ、下側挿入突起２１ｂを挿入することとすれば、上側外周壁１１ａの外面には上側固定孔１３ａの周縁や上側挿入突起２１ａの突端、また下側外周壁１１ｂの外面には下側固定孔１３ｂの周縁や下側挿入突起２１ｂの突端が露出することがない。よって使用者の目に触れ易い下側外周壁１１ｂの外面を室内ユニット１００の前面に露出させたとしても、室内ユニット１００の意匠性が損なわれることはなくなり、そのため下側外周壁１１ｂを収納する収納溝２ｃの形成を省くことができる。
【０１２１】
ただし前面パネル１０が透明材で背面を塗装する場合には、下側外周壁１１ｂの外面外観上に下側挿入突起２１ｂの突端が下側外周壁１１ｂを透けて現れることになるので、少なくとも下側固定孔１３ｂが位置する周辺の下側外周壁１１ｂの外面にシボ加工を施すことで、下側挿入突起２１ｂの突端を下側外周壁１１ｂの外面越しに使用者から見え難くでき、収納溝２ｃの形成を省くことができる。
【０１２２】
また、上記のようにスライド型を前面パネルの背面に設置し、上側外周壁１１ａ、下側外周壁１１ｂの外面から内面の方向にそれぞれスライドさせることができれば、上側挿入突起２１ａを上側外周壁１１ａの内面から下方（下側外周壁１１ｂの方）に突出させるように、同様に下側挿入突起２１ｂを下側外周壁１１ｂの内面から上方（上側外周壁１１ａの方）に突出させるように形成することができる。挿入突起２１を取付板２０でなく外周壁１１の方に設け、取付板２０に外周壁１１に設けた挿入突起２１が挿入される固定孔１３を形成するのである。取付板２０の上側外壁２３ａに上側固定孔１３ａを、下側外壁２３ｂに下側固定孔１３ｂをそれぞれ上下方向に形成する。
【０１２３】
この場合においても上側外周壁１１ａ内面から下方に突設される上側挿入突起２１ａと、上側外壁２３ａに上下方向に形成され、この上側挿入突起２１ａが挿入される上側固定孔１３ａの嵌合はすきま嵌めとし、また下側外周壁１１ｂ内面から上方に突設される下側挿入突起２１ｂと、下側外壁２３ｂに上下方向に形成され、この下側挿入突起２１ｂが挿入される下側固定孔１３ｂの嵌合はすきま嵌めとする。そして上側外壁２３ａの外面と上側外周壁１１ａの内面および下側外壁２３ｂの外面と下側外周壁１１ｂの内面とをそれぞれ接触もしくは近接させて、取付板２０を前面パネル１０の背面に固定する。
【０１２４】
またこの場合においても取付板２０の前面パネル１０への取り付け方法は大きく変更しない。まず取付板２０の上側固定孔１３ａを前面パネル１０の上側外周壁１１ａに設けられている上側挿入突起２１ａに近づけ、上側挿入突起２１ａを上側固定孔１３ａに挿入し、上側外壁２３ａの外面を上側外周壁１１ａの内面に接触もしくは近接させる。そして取付板２０のベース２２を前面パネル１０の背面に沿わせて、前面パネル１０の下側外周壁１１ｂから突設する下側挿入突起２１ｂを下側固定孔１３ｂに挿入する。下側挿入突起２１ｂの挿入の際には、下側外壁２３ｂもしくは下側外周壁１１ｂの少なくともどちらかを互いが引き離れる上下方向に弾性変形させて、下側外壁２３ｂに下側挿入突起２１ｂを乗り越えさせ、下側固定孔１３ｂを下側挿入突起２１ｂまでスライドするように導かせて下側挿入突起２１ｂを挿入する。挿入により弾性変形させた下側外壁２３ｂもしくは下側外周壁１１ｂの弾性変形が解除され、下側外壁２３ｂの外面が下側外周壁１１ｂの内面に接触もしくは近接する。
【０１２５】
よって前面パネル１０の上側挿入突起２１ａを上側外周壁１１ａの内面に、下側挿入突起２１ｂを下側外周壁１１ｂの内面に設け、取付板２０の上側外壁２３ａに上側固定孔１３ａを、下側外壁２３ｂに下側固定孔１３ｂをそれぞれ上下方向に形成する場合においても、取付板２０を取り付けることによって前面パネル１０および取付板２０に割れや塑性変形が発生することがなく、また前面パネル体１の開閉作業や室内ユニット１００本体への脱着の際に取付板２０が外れることがない信頼性の高い前面パネル体１が得られる。また取付板２０の取り付け作業は簡単で短時間に完了でき、作業性が良好となある。さらに前面パネル１０の上側外周壁１１ａの外面、下側外周壁１１ｂの外面に固定孔１３の周縁や挿入突起２１の突端が露出することがなく、平坦で一様な外面とできるので、特に使用者の目に触れ易い下側外周壁１１ｂの外面を室内ユニット１００の前面に露出させたとしても、室内ユニット１００の意匠性が損なわれることはなくなり、そのため下側外周壁１１ｂを収納する収納溝２ｃの形成を省くことが可能となる。
【０１２６】
ただし前面パネル１０が透明材で背面を塗装する場合では、下側挿入突起２１ｂが突設する位置の下側外周壁１１ｂの外面は、他の外面と異なる色となってしまうし、また下側外周壁１１ｂの内面と同様に下側挿入突起２１ｂにも塗装を施したとしても、下側挿入突起２１ｂの塗装面は下側外周壁１１ｂ内面の塗装面より奥側に位置して下側外周壁１１ｂの外面に透けて現れることになって意匠性が損なわれてしまうので、少なくとも下側挿入突起２１ｂが突設する位置周辺の下側外周壁１１ｂの外面にシボ加工を施すことで、そのような状態を使用者から見え難くでき、その結果収納溝２ｃの形成を省くことができる。
【０１２７】
前面パネル１０の上側外周壁１１ａ、下側外周壁１１ｂにそれぞれ上下方向に形成した上側固定孔１３ａ、下側固定孔１３ｂに、取付板２０の上側外壁２３ａ、下側外壁２３ｂの外面から突設させた上側挿入突起２１ａ、下側挿入突起２１ｂをそれぞれ挿入し、上側外壁２３ａ外面と上側外周壁１１ａ内面、および下側外壁２３ｂ外面と下側外周壁１１ｂの内面とを、それぞれ接触もしくは近接させ、取付板２０を前面パネル１０の背面に固定するので、取付板２０の取り付けによって取付板２０の上側外壁２３ａ、下側外壁２３ｂおよび前面パネル１０の上側外周壁１１ａ、下側外周壁１１ｂの根元に応力が作用することがなく、これらが割れたり塑性変形したりせず、また、取付板２０ががたついたりしない信頼性の高い前面パネル体１となる。また取付板２０を前面パネル１０に取り付ける作業が簡単で短時間にでき、すなわち作業性が良好となる。
【０１２８】
また、前面パネル１０の上側外周壁１１ａ、下側外周壁１１ｂの内面からそれぞれ突設させた上側挿入突起２１ａ、下側挿入突起２１ｂを、取付板２０の上側外壁２３ａ、下側外壁２３ｂにそれぞれ上下方向に形成した上側固定孔１３ａ、下側固定孔１３ｂに挿入し、上側外壁２３ａ外面と上側外周壁１１ａ内面、および下側外壁２３ｂ外面と下側外周壁１１ｂの内面とを、それぞれ接触もしくは近接させ、取付板２０を前面パネル１０の背面に固定するので、取付板２０の取り付けによって取付板２０の上側外壁２３ａ、下側外壁２３ｂおよび前面パネル１０の上側外周壁１１ａ、下側外周壁１１ｂの根元に応力が作用することがなく、これらが割れたり塑性変形したりせず、また、取付板２０ががたついたりしない信頼性の高い前面パネル体１となる。また取付板２０を前面パネル１０に取り付ける作業が簡単で短時間にでき、すなわち作業性が良好となる。
【０１２９】
また、上側挿入突起２１ａと上側固定孔１３ａの嵌合、下側挿入突起２１ｂと下側固定孔１３ｂの嵌合をそれぞれすきま嵌めとしているので、上側固定孔１３ａへの上側挿入突起２１ａ、下側固定孔１３ｂへの下側挿入突起２１ｂの挿入を容易に行うことができ、また挿入によって外周壁１１もしくは外壁２３の固定孔１３近傍が割れたり、ひびが入ったりすることのない信頼性の高い前面パネル体１となる。
【０１３０】
また、上側外壁２３ａの立設方向の先端を上側外周壁１１ａの立設方向の先端と略同じ高さに、そして下側外壁２３ｂの立設方向の先端を下側外周壁１１ｂの立設方向の先端と略同じ高さにして、上側外壁２３ａと下側外壁２３ｂを手や工具でつまめないようにしたので、前面パネル１０に取り付けられた後の取付板２０の上側外壁２３ａ、下側外壁２３ｂを弾性変形させ難くでき、容易には挿入突起２１を固定孔１３から抜き出せなくして、たとえ前面パネル体１の開閉が繰り返されても取付板２０が外れることのない信頼性の高い取付板２０の取り付け状態を得ることができる。
【０１３１】
また、ヒンジ２５は、前面パネル体１の上方に向かって屈曲する略Ｌ字状のアーム２５ａと、その端部に設けられ、前面パネル体１を室内ユニット１００本体に対して上下方向に開閉可能に回動させる回動軸２５ｂもしくは回動軸受を備え、回動軸２５ｂもしくは回動軸受が、上側外周壁１１ａの立設方向先端より高く位置するとともに、上下方向には上側外周壁１１ａの近傍に位置するので、回動軸２５ｂもしくは回動軸受を基点として、前面パネル１０の上側外周壁１１ａが前面枠２の上面に接触することなく、閉状態から９０°の開度まで回動させることができ、また前面パネル体１を室内ユニット１００本体に装着する際、作業者が、いちいち前面パネル体１を裏返して（取付板２０のある側に向きを変えて）ヒンジ２５や回動軸２５ｂもしくは回動軸受の位置を確認しなくてもそれらの位置が把握できるので、回動軸２５ｂもしくは回動軸受の前面枠２の保持具４０との嵌合を短時間で容易にしかも正確に実施することができ、作業性良好で信頼性の高い作業が実現できる。
【０１３２】
また、前面枠２の前面側には、前面パネル体１が閉状態の時に、下側外周壁１１ｂおよび下側外壁２３ｂを収納する収納溝２ｃを設けたので、収納溝２ｃに下側外周壁１１ｂおよび下側外壁２３ｂが収納されることで、下側外周壁１１ｂを上下方向に貫通した下側固定孔１３ｂの下端開口周縁、およびその下側固定孔１３ｂに挿入された下側挿入突起２１ｂの突端は、室内ユニット１００の外観上に現れなくなり、室内にいる使用者が室内ユニット１００を見上げても、それらが使用者の目に触れることがなく、意匠性に優れた室内ユニット１００となる。
【０１３３】
また、前面パネル１０の背面の側面に側面外周壁１１ｃを立設し、取付板２０の側面には側面外周壁１１ｃの立設方向と同じ方向に側面外壁２３ｃを立設し、側面外壁２３ｃの立設方向先端が側面外周壁１１ｃの立設方向先端と略同じ高さとして、側面外壁１１ｃの外面を対向する側面外周壁２３ｃの内面と接触もしくは近接させたので、使用者が前面パネル体１の両側を持って開閉する際、使用者が握り易く、また前面パネル体１の左右両側の剛性が高まり、握っている部分が弾性変形し難くなって、使用者にとって開閉の操作性が良好に感じられる。すなわち前面パネル体１の開閉操作が行い易い室内ユニット１００となる。
【０１３４】
また、アーム２５ａを上側挿入突起２１ａと上下方向に同一線上に位置させるか、もしくは取付板２０の左右方向で複数の上側挿入突起２１ａの間に位置するように取付板２０に形成したので、前面パネル体１の開閉時にアーム２５ａに力が作用しても、取付板２０が左右方向にねじれることがなく、前面パネル体１の開閉が繰り返されても、取付板２０のベース２２が浮き上がったり、塑性変形したり、割れたりしてしまうことはなく、また上側挿入突起２１ａが破断することもない開閉作業に対する信頼性の高い前面パネル体１となる。
【０１３５】
また、ツメ２６を下側挿入突起２１ｂと上下方向に同一線上に位置するように、もしくは取付板２０の左右方向で複数の下側挿入突起２１ｂの間に位置するように取付板２０に形成したので、前面パネル体１の開閉時にツメ２６に力が作用しても、取付板２０が左右方向にねじれることがなく、前面パネル体１の開閉が繰り返されても、取付板２０のベース２２が浮き上がったり、塑性変形したり、割れたりしてしまうことはなく、また下側挿入突起２１ｂが破断することもない開閉作業に対する信頼性の高い前面パネル体１となる。
【０１３６】
また、取付板２０のベース２２の裏側に凹部２８を形成し、アーム２５ａ根元のベース２２の裏側と前面パネル１０背面との間に空間が形成されるようにしているので、アーム２５ａ根元のベース２２が、アーム２５ａに作用するモーメントを受けて弾性変形することができ、モーメントによりアーム２５ａ根元のベース２２に発生する応力を広く分散させ、局部的に応力が集中しないようにして、前面パネル体１の開閉作業により、繰り返しアーム２５ａにモーメントが作用してもアーム２５ａが破断することのない開閉作業に対する信頼性の高い取付板２０、ひいては前面パネル体１となる。
【０１３７】
また、取付板２０の下側外壁２３ｂの上部近傍に、ベース２２を室内ユニット１００本体の前後方向に貫通する開口部２９を設けたので、下側外壁２３ｂの剛性が小さくなり容易に弾性変形できるようになって、取付板２０の前面パネル１０への取り付け作業の作業効率が更に向上する。
【０１３８】
また、前面パネル体１の長手方向略中央部で、下側外周壁１１ｂの外面から突出する留め突起１５もしくは下側外周壁１１ｂの外面に凹設された留め穴を設け、収納溝２ｃの底面に留め突起１５を引っ掛ける掛かり突起２ｄもしくは留め突起１５を周縁に引っ掛ける掛かり穴を、または留め穴の周縁に引っ掛かる掛かり突起２ｄを形成したので、前面パネル体１の閉状態における中央部の浮き上がりの発生を防止することができる。
【０１３９】
また、下側挿入突起２１ｂに下側固定孔１３ｂを貫通させ、その突端部分を下側外周壁１１ｂの外面から突出させ、この突出した下側挿入突起の突端部分である留め凸部３１を、収納溝２ｄの底面に形成した掛かり突起２ｄ、もしくは掛かり穴の周縁に引っ掛けるようにして、室内ユニット本体１００に対して前面パネル体１の閉状態を保持させたので、ツメ２６や係止具５０を省略でき、部品点数や材料の使用量が削減されて室内ユニット１００のコストを低減できる。
【０１４０】
また、前面パネル体１の前面パネル１０への取付板２０の取り付け方法であって、上側挿入突起２１ａを、上側固定孔１３ａに挿入し、上側外壁２３ａの外面を上側外周壁１１ａの内面に接触もしくは近接させるステップと、取付板２０のベース２２を前面パネル１０の背面に沿わせるステップと、下側外壁２３ｂもしくは下側外周壁１１ｂの少なくともどちらかを互いが引き離れる上下方向に弾性変形させて、下側外周壁１１の立設方向の先端を下側挿入突起２１ｂに乗り越えさせるステップと、下側挿入突起を２１ｂを下側固定孔１３ｂまで導くステップと、下側固定孔１３ｂに下側挿入突起２１ａを挿入し、弾性変形させた下側外壁２３ｂもしくは下側外周壁１１ｂの弾性変形を解除し、下側外壁２３ｂの外面を下側外周壁１１ｂの内面に接触もしくは近接させるステップと、を備えたので、取付板２０の前面パネル１０背面へ取り付ける作業は簡単で短時間に完了させることができ、作業性が良好となる。そのため前面パネル１０や取付板２０が上下方向に曲面状に形成されていて、取り付け時の前面パネル１０が安定した静止状態を維持し難いものであっても、取り付け作業をスムーズに遂行することができる。
【図面の簡単な説明】
【０１４１】
【図１】この発明の実施の形態１における空気調和機の室内ユニット１００の斜視図である。
【図２】図１に示す室内ユニット１００の縦断面図である。
【図３】この発明の実施の形態１における前面パネル体１の斜視図である。
【図４】図３に示す前面パネル体１の要部斜視図である。
【図５】図４に示す前面パネル体１の説明用の斜視図である。
【図６】図３に示す前面パネル体１の取付板２０を裏側から見た斜視図である。
【図７】図１に示す室内ユニット１００の保持具４０とヒンジ２５の関係を示す斜視図である。
【図８】図１に示す室内ユニット１００の係止具５０とツメ２６の関係を示す斜視図である。
【図９】図１に示す室内ユニット１００の収納溝２０を説明するための拡大縦断面図である。
【図１０】図３に示す前面パネル体１の要部拡大縦断面図である。
【図１１】図１に示す室内ユニット１００の留め突起１５の係止状態を説明するための縦断面図である。
【図１２】この発明の実施の形態１における他の実施例の要部拡大縦断面図である。
【符号の説明】
【０１４２】
１  前面パネル体、２  前面枠、２ａ  保持具装着部、２ｂ  係止具装着部、２ｃ  収納溝、２ｄ  掛かり突起、３  台枠、４  室内熱交換器、５  室内ファン、６  吸込口、７  吹出口、８  上下風向板、９  ノズル、１０  前面パネル、１１  外周壁、１１ａ  上側外周壁、１１ｂ  下側外周壁、１１ｃ  側面外周壁、１２  パネル部、１３  固定孔、１３ａ  上側固定孔、１３ｂ  下側固定孔、１４  切欠き部、１５  留め突起、２０  取付板、２１  挿入突起、２１ａ  上側挿入突起、２１ｂ  下側挿入突起、２２  ベース、２３  外壁、２３ａ  上側外壁、２３ｂ  下側外壁、２３ｃ  側面外壁、２４  リブ、２５  ヒンジ、２５ａ  アーム、２５ｂ  回動軸、２５ｃ  保持面、２６  ツメ、２７  ツメ台、２８  凹部、２９  開口部、３０  窪み、３１  留め凸部、４０  保持具、４１  上係止片、４２  下係止片、４３  開度保持部、４３ａ  上端面、４４  軸受、５０  係止具、５１  ツメ収納部、６０  表示機構、７０  吹出風路、７１  エアフィルター、７２  赤外線センサ、１００  室内ユニット。
【図１】
0005061812.tif 000002
【図２】
0005061812.tif 000003
【図３】
0005061812.tif 000004
【図４】
0005061812.tif 000005
【図５】
0005061812.tif 000006
【図６】
0005061812.tif 000007
【図７】
0005061812.tif 000008
【図８】
0005061812.tif 000009
【図９】
0005061812.tif 000010
【図１０】
0005061812.tif 000011
【図１１】
0005061812.tif 000012
【図１２】
0005061812.tif 000013